(57)【要約】  無線デバイスおよびネットワークノードが提供される。ある態様によると、無線デバイスは、少なくとも第１数理パラメータに基づいて少なくとも第１タイミング調整パラメータを決定し、第１タイミング調整パラメータに基づいてアップリンク送信のタイミングを調整するよう構成された処理回路を含む。他の態様によると、方法は、少なくとも第１数理パラメータに基づいて少なくとも第１タイミング調整パラメータを決定するよう構成されたタイミング調整パラメータ決定モジュールを含む。方法はまた、第１タイミング調整パラメータに基づいてアップリンク送信のタイミングを調整するよう構成されたタイミング調整モジュールを含む。これらの構成によると、ネットワークノードの受信性能の保存が可能となる。【選択図】図２１
2019533923.tif 000002
【特許請求の範囲】
【請求項１】
無線デバイス（２８）において送信のタイミングを調整する方法であって、
少なくとも第１数理パラメータに基づいて少なくとも第１タイミング調整パラメータを決定すること（Ｓ１３４）と、
前記第１タイミング調整パラメータに基づいてアップリンク送信の前記タイミングを調整すること（Ｓ１３６）と、を含む方法。
【請求項２】
前記調整されたアップリンク送信タイミングにしたがって前記アップリンク信号を送信することをさらに含む請求項１に記載の方法。
【請求項３】
前記アップリンク送信タイミング調整は、アップリンク信号の特性、ダウンリンク信号の特性および数理パラメータのうちの少なくともひとつに基づく請求項１または２に記載の方法。
【請求項４】
前記第１数理パラメータは、サブキャリア間隔に基づくひとつの調整ステップの最大調整量である請求項１から３のいずれか一項に記載の方法。
【請求項５】
前記第１数理パラメータは、前記アップリンク送信のキャリア周波数に基づくタイミング調整の周波数である請求項１から３のいずれか一項に記載の方法。
【請求項６】
前記第１数理パラメータは、前記無線デバイス（２８）がアップリンク送信タイミングを集約調整レートで更新する際のその集約調整レートであり、前記集約調整レートはサブキャリア間隔に基づく、請求項１から３のいずれか一項に記載の方法。
【請求項７】
第２数理パラメータに基づいて第２タイミング調整パラメータを決定することと、
前記無線デバイス（２８）がアップリンク送信用に用いるべき数理を決定することと、
前記決定された数理に基づいて、前記第１タイミング調整パラメータおよび前記第２タイミング調整パラメータのうちのひとつを選択することと、
前記第１および第２タイミング調整パラメータのうちの前記選択されたひとつを適用することで、アップリンク送信の前記タイミングを調整することと、をさらに含む請求項１から６のいずれか一項に記載の方法。
【請求項８】
前記第１タイミング調整パラメータは決定されたアップリンク数理に基づき、前記第２タイミング調整パラメータは決定されたダウンリンク数理に基づく請求項７に記載の方法。
【請求項９】
前記第１タイミング調整パラメータは前記無線デバイスによって自律的に決定される請求項１から７のいずれか一項に記載の方法。
【請求項１０】
前記第１タイミング調整パラメータは、ネットワークノードから受信されたルールおよび所定の値のうちのひとつに基づいて決定される請求項１から７のいずれか一項に記載の方法。
【請求項１１】
前記少なくとも第１タイミング調整パラメータは、さらに、アップリンク帯域幅およびダウンリンク帯域幅のうちのひとつに基づいて決定される請求項１から７のいずれか一項に記載の方法。
【請求項１２】
前記少なくとも第１タイミング調整パラメータはネットワークノードから受信されたタイミングアドバンスコマンドである請求項１から７のいずれか一項に記載の方法。
【請求項１３】
前記第１数理パラメータおよび前記第２数理パラメータのうちの少なくともひとつは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項１から１２のいずれか一項に記載の方法。
【請求項１４】
送信のタイミングを調整するよう構成された無線デバイスであって、前記無線デバイスは、
少なくとも第１数理パラメータに基づいて少なくとも第１タイミング調整パラメータを決定することと、
前記第１タイミング調整パラメータに基づいてアップリンク送信の前記タイミングを調整することと、を行うよう構成された処理回路（３０）を備える無線デバイス。
【請求項１５】
前記調整されたアップリンク送信タイミングにしたがって前記アップリンク信号を送信することをさらに含む請求項１４に記載の無線デバイス。
【請求項１６】
前記アップリンク送信タイミング調整は、アップリンク信号の特性、ダウンリンク信号の特性および数理パラメータのうちの少なくともひとつに基づく請求項１４または１５に記載の無線デバイス。
【請求項１７】
前記第１数理パラメータは、サブキャリア間隔に基づくひとつの調整ステップの最大調整量である請求項１４から１６のいずれか一項に記載の無線デバイス。
【請求項１８】
前記第１数理パラメータは、前記アップリンク送信のキャリア周波数に基づくタイミング調整の周波数である請求項１４から１６のいずれか一項に記載の無線デバイス。
【請求項１９】
前記第１数理パラメータは、前記無線デバイス（２８）がアップリンク送信タイミングを集約調整レートで更新する際のその集約調整レートであり、前記集約調整レートはサブキャリア間隔に基づく、請求項１４から１６のいずれか一項に記載の無線デバイス。
【請求項２０】
前記処理回路（３０）はさらに、
第２数理パラメータに基づいて第２タイミング調整パラメータを決定することと、
前記無線デバイス（２８）がアップリンク送信用に用いるべき数理を決定することと、
前記決定された数理に基づいて、前記第１タイミング調整パラメータおよび前記第２タイミング調整パラメータのうちのひとつを選択することと、
前記第１および第２タイミング調整パラメータのうちの前記選択されたひとつを適用することで、アップリンク送信の前記タイミングを調整することと、を行うよう構成される請求項１４から１９のいずれか一項に記載の無線デバイス。
【請求項２１】
前記第１タイミング調整パラメータは決定されたアップリンク数理に基づき、前記第２タイミング調整パラメータは決定されたダウンリンク数理に基づく請求項２０に記載の無線デバイス。
【請求項２２】
前記第１タイミング調整パラメータは前記無線デバイス（２８）によって自律的に決定される請求項１４から２０のいずれか一項に記載の無線デバイス。
【請求項２３】
前記第１タイミング調整パラメータは、ネットワークノード（４４）から受信されたルールおよび所定の値のうちのひとつに基づいて決定される請求項１４から２０のいずれか一項に記載の無線デバイス。
【請求項２４】
前記少なくとも第１タイミング調整パラメータは、さらに、アップリンク帯域幅およびダウンリンク帯域幅のうちのひとつに基づいて決定される請求項１４から２０のいずれか一項に記載の無線デバイス。
【請求項２５】
前記少なくとも第１タイミング調整パラメータはネットワークノードから受信されたタイミングアドバンスコマンドである請求項１４から２０のいずれか一項に記載の無線デバイス。
【請求項２６】
前記第１数理パラメータおよび前記第２数理パラメータのうちの少なくともひとつは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項１７から２５のいずれか一項に記載の無線デバイス。
【請求項２７】
送信のタイミングを調整するよう構成された無線デバイスであって、前記無線デバイス（２８）は、
少なくとも第１数理パラメータに基づいて少なくとも第１タイミング調整パラメータを決定するよう構成されたタイミング調整パラメータ決定モジュール（３９）と、
前記第１タイミング調整パラメータに基づいてアップリンク送信の前記タイミングを調整するよう構成されたタイミング調整モジュール（４１）と、を備える無線デバイス。
【請求項２８】
ネットワークノード（４４）において受信信号のタイミングを調整する方法であって、該方法は、
少なくとも第１数理パラメータに基づいて少なくとも第１タイミング調整パラメータを決定することであって、前記第１タイミング調整パラメータは、アップリンク信号を送信するために無線デバイスによって適用されるべき送信タイミング調整の量に関するものである、決定すること（Ｓ１３８）と、
前記決定された少なくともひとつの第１タイミング調整パラメータに基づいて、前記ネットワークノード（４４）のレシーバ（５８）の少なくともひとつのパラメータを適合させること（Ｓ１４０）と、を含む方法。
【請求項２９】
前記レシーバ（５８）の前記適合された少なくともひとつのパラメータを用いて、前記無線デバイスからアップリンク送信を受信することをさらに含む請求項２８に記載の方法。
【請求項３０】
前記少なくとも第１数理に基づいて前記第１タイミング調整パラメータを決定するためのルールを、前記無線デバイス（２８）に送信することをさらに含む請求項２８または２９に記載の方法。
【請求項３１】
前記少なくとも第１数理に基づいて前記第１タイミング調整パラメータを決定するための所定の値を、前記無線デバイス（２８）に送信することをさらに含む請求項２８または２９に記載の方法。
【請求項３２】
前記少なくとも第１数理に基づく前記第１タイミング調整パラメータを、前記無線デバイスに送信することをさらに含む請求項２８から３０のいずれか一項に記載の方法。
【請求項３３】
前記第１タイミング調整パラメータはタイミングアドバンスコマンドである請求項３２に記載の方法。
【請求項３４】
前記第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項２８から３３のいずれか一項に記載の方法。
【請求項３５】
受信信号のタイミングを調整するためのネットワークノードであって、前記ネットワークノード（４４）は、
少なくとも第１数理パラメータに基づいて少なくとも第１タイミング調整パラメータを決定することであって、前記第１タイミング調整パラメータは、アップリンク信号を送信するために無線デバイス（２８）によって適用されるべき送信タイミング調整の量に関するものである、決定することと、
前記決定された少なくともひとつの第１タイミング調整パラメータに基づいて、前記ネットワークノード（４４）のレシーバ（５８）の少なくともひとつのパラメータを適合させることと、を行うよう構成された処理回路（４６）を備えるネットワークノード。
【請求項３６】
前記処理回路（４６）はさらに、前記レシーバ（５８）の前記適合された少なくともひとつのパラメータを用いて、前記無線デバイス（２８）からアップリンク送信を受信するよう構成される請求項３５に記載のネットワークノード。
【請求項３７】
前記処理回路（４６）はさらに、前記少なくとも第１数理に基づいて前記第１タイミング調整パラメータを決定するためのルールを、前記無線デバイス（２８）に送信するよう構成される請求項３５または３６に記載のネットワークノード。
【請求項３８】
前記処理回路（４６）はさらに、前記少なくとも第１数理に基づいて前記第１タイミング調整パラメータを決定するための所定の値を、前記無線デバイス（２８）に送信するよう構成される請求項３５または３６に記載のネットワークノード。
【請求項３９】
前記処理回路はさらに、前記少なくとも第１数理に基づく前記第１タイミング調整パラメータを、前記無線デバイスに送信するよう構成される請求項３５から３８のいずれか一項に記載のネットワークノード。
【請求項４０】
前記第１タイミング調整パラメータはタイミングアドバンスコマンドである請求項３９に記載のネットワークノード。
【請求項４１】
前記第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項３５から４０のいずれか一項に記載のネットワークノード。
【請求項４２】
受信信号のタイミングを調整するためのネットワークノードであって、前記ネットワークノード（４４）は、
少なくとも第１数理パラメータに基づいて少なくとも第１タイミング調整パラメータを決定するよう構成されたタイミング調整パラメータ決定モジュール（５５）であって、前記第１タイミング調整パラメータは、アップリンク信号を送信するために無線デバイス（２８）によって適用されるべき送信タイミング調整の量に関するものである、タイミング調整パラメータ決定モジュール（５５）と、
前記決定された少なくともひとつの第１タイミング調整パラメータに基づいて、前記ネットワークノード（４４）のレシーバ（５８）の少なくともひとつのパラメータを適合させるよう構成されたレシーバパラメータ適合モジュール（５７）と、を備えるネットワークノード。
【発明の詳細な説明】
【技術分野】
【０００１】
関連出願へのクロスリファレンス
本出願は、米国仮出願番号６２／４０２，７１７および６２／４０２，５４５の優先権を主張する「無線デバイスの自律タイミング調整」と題する国際出願であり、それらの両方は２０１６年９月３０日に出願されたものであり、その全部が参照により本明細書に組み込まれる。
【０００２】
本開示は無線通信に関し、特に、通信ネットワークのための方法およびシステムに関し、特に、様々な数理の下での自律タイミング調整に関する。
【背景技術】
【０００３】
無線通信ネットワークは典型的には、無線通信信号を適切に受信し、復号することができる受信機の能力を保証するために、時間整列に依存する。図１は、この概念の理解を助けるのに有用な無線デバイス１２および基地局１４を有する通信システム１０のブロック図である。システム１０におけるアップリンク（ＵＬ）における直交性を維持するために、複数の無線デバイス１２ａ〜１２ｎ（以下、無線１２）からのＵＬ送信は、進化型ノードＢ  １４（ｅノードＢ１４）において時間整列される必要がある。図１に示すように、無線デバイス１２はｅノードＢ１４から異なる距離に位置しうるので、無線デバイス１２は、異なる時刻にそれらのＵＬ送信を開始する必要がある。
【０００４】
時間整列
ｅノードＢから遠い無線デバイス１２は、ｅノードＢ１４に近い無線デバイス１２よりも早く送信を開始する必要がある。これは、例えば、無線デバイス１２が受信したＤＬ信号のタイミングによって与えられる公称時刻の前に無線デバイス１２がそのＵＬ送信を開始するように、ＵＬ送信のタイミングアドバンスによって処理することができる。この概念はｅノードＢ１４までの距離に応じたＵＬ送信のタイミングアドバンスを示す図２に示されている（下向きの矢印はダウンリンク送信を示し、上向きの矢印はアップリンク送信を示す）。無線デバイス１２の送信タイミングは、ネットワークから受信された、または無線デバイス１２によって自律的に受信された（メディアアクセスコントロール（ＭＡＣ）メッセージ内の）タイミングアドバンス（ＴＡ）コマンドに基づいて調整されてもよい。タイミング調整は特定の精度要件を満たさなければならず、典型的には所定のサイズのステップで行われる。
【０００５】
無線デバイス１２の、ＤＬ受信タイミングに基づく自律タイミング調整
ＵＬタイミングアドバンスは、無線デバイス１２からのＵＬ送信に関する測定に基づいて、その無線デバイス１２へのタイミング整列またはタイミングアドバンス（ＴＡ）コマンドを介して、ｅノードＢ１４によって維持される。これは、ネットワーク制御またはｅＮＢ  １４制御無線デバイス１２送信タイミングとも呼ばれる。タイミング整列コマンドによって、無線デバイスは、そのＵＬ送信をより早くまたはより遅く開始するように命令される。
【０００６】
同じ無線デバイスによって使用される異なるサービングセルは、異なるタイミングアドバンスを有することができる。同じ無線デバイスに対して（例えば、展開に依存して）同じＴＡ値を共有するサービングセルは、ｅＮＢによって、いわゆるＴＡグループ（ＴＡＧ）に属するように構成され得る。ＴＡグループの少なくとも１つのサービングセルが時間整列される場合、同じグループに属するすべてのサービングセルは、このＴＡ値を使用することができる。
【０００７】
第３世代パートナーシッププロジェクト（３ＧＰＰ）の現在の要件によれば、無線デバイスは、ＴＳが時間単位である場合、先行するアップリンク送信のタイミングと比較して、シグナリングされたタイミングアドバンス値に対して、±４＊ＴＳ以内と等しいかそれよりも良い相対精度で、その送信のタイミングを調整しなければならない。タイミングアドバンスコマンドは、１６＊ＴＳの倍数で表され、現在のアップリンクタイミングに対するものである。
【０００８】
ＵＬ送信タイミングのタイミングアドバンス（ＴＡ）ベースの調整に加えて、ｅノードＢ  １４送信タイミング、すなわち、サービングセルであるＤＬ基準セルにおけるドリフトに応答して、そのＵＬタイミングを自律的に調整するための所定の要件も無線デバイス１２に課される。より具体的には、無線デバイス１２がＤＬ基準セル、たとえば、サービングセルのフレーム送信タイミングの変化に追従し、それに対応して、送信ごとに送信タイミングを調整することが必要とされる。無線デバイス１２は通常、何らかの種類の基準信号、たとえば、共通基準信号、同期信号などを使用して、サービングセルのダウンリンクタイミングを追跡する。
【０００９】
無線デバイス１２が有効なタイミングアドバンス調整コマンドを有さない場合に、自律タイミング調整はアップリンク信号を送信するために無線デバイス１２によって適用される。無線デバイス１２はまた、信号の初期送信、例えば、ランダムアクセス送信のために、自律タイミング調整を適用する。無線デバイス１２はまた、ＤＲＸにおける信号の最初の送信のために、または、例えば、時間整列タイマ（ＴＡＴ）が満了してＴＡコマンドを無効にするような長い非活性の後に、自律タイミング調整を適用する。無線デバイスアップリンクタイミングに対して行われるすべての自律タイミング調整は、いくつかのルールに従う。例えば：
●  １回の調整におけるタイミング変化の大きさの最大量はＴｑ秒である。
●  最小集約調整レートは、毎秒７＊Ｔｓである。
●  最大集約調整レートは、２００ｍｓ当たりＴｑである。
ここで、Ｔｓ＝３２．５５ナノ秒（ｎｓ）であり、Ｔｑは、ＤＬ基準セルの帯域幅に依存する。Ｔｑの例は、１０ＭＨｚ以上のＤＬ  ＢＷに対して３．５Ｔｓである。
【００１０】
サービングセルタイミングは、例えば、無線状態の変化、クロックの不完全性、メンテナンス活動、タイミングを変更するためのネットワークによる意図的な試みなどの様々な理由のために変化し得る。加えて、無線デバイス１２は、そのタイミングを一定のレートで変更（増減）する必要がある。これは、無線デバイス１２がタイミングをあまり速く変更しないことを確実にするためである。この要件は、無線デバイス１２がサブフレームからサブフレームへと数マイクロ秒（μｓ）のオーダでそのタイミングを変更する場合、基地局レシーバが受信信号に対処することができない可能性があるという事実に由来する。この結果、無線デバイス１２によって送信される信号の復調が劣化する。
【００１１】
数理
ロングタームエボリューション（ＬＴＥ）について、「数理（ｎｕｍｅｒｏｌｏｇｙ）」という用語は、例えば以下の要素すなわちパラメータ：フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長、を含んでもよい。異なる数理は、同じ帯域幅内で異なる数のＲＢをもたらし得ることに留意されたい。
【００１２】
異なる無線アクセス技術における数理要素の正確な値は、典型的には性能目標によって駆動される。一例として、性能要件は、使用可能なサブキャリア間隔サイズに制約を課す。別の例として、最大許容可能位相ノイズおよびスペクトルの低速減衰（フィルタリングの複雑さおよびガードバンドサイズに影響を与える）は所与のキャリア周波数についての最小サブキャリア帯域幅を設定し、必要とされるサイクリックプレフィックスは、所与のキャリア周波数について最大サブキャリア帯域幅を設定する。
【００１３】
しかしながら、既存の無線アクセス技術（ＲＡＴ）においてこれまで使用されてきた数理はむしろ静的であり、典型的には、例えば、ＲＡＴ、周波数帯域、サービスタイプ（例えば、マルチメディア報知マルチキャストサービス（ＭＢＭＳ））などへの１対１のマッピングによって、無線デバイス１２によって自明に導出することができる。
【００１４】
直交周波数分割多重（ＯＦＤＭ）ベースであるＬＴＥダウンリンクでは、サブキャリア間隔は通常のサイクリックプレフィックス（ＣＰ）については１５ｋＨｚであり、拡張ＣＰについては１５ｋＨｚおよび７．５ｋＨｚ（すなわち、低減されたキャリア間隔）であり、後者はＭＢＭＳ専用キャリアについてのみ許可される。複数の数理のサポートは新しい無線（ＮＲ）について合意されており、複数の数理は、同じまたは異なる無線デバイスについて周波数および／または時間ドメインで多重化され得る。
【００１５】
直交周波数分割多重（ＯＦＤＭ）に基づくことになる新しい無線（ＮＲ）では、一般的な動作のために複数の数理がサポートされる。ＮＲのサブキャリア間隔候補を導出するために、スケーリング手法（スケーリングファクタ２ｎに基づく、ｎ＝１、２、．．．）が考慮される：１５ｋＨｚ、３０ｋＨｚ、６０ｋＨｚなど。現在、９６０ｋＨｚまでのサブキャリア間隔（ミリ波ベースの技術に対応する議論されているなかでの最高値）がＮＲについて検討されている。さらに、同じＮＲキャリア帯域幅内で異なる数理を多重化することがサポートされるべきであり、周波数分割多重化（ＦＤＭ）および／または時分割多重化（ＴＤＭ）を考慮することができる。さらに、異なる数理を使用する複数の周波数／時間部分は同期信号を共有すべきであり、同期信号は、信号自体と、その同期信号を送信するために使用される時間−周波数リソースと、を指す。また、非常に高いキャリア周波数では非常に低いサブキャリア間隔は使用されないと仮定されているが、周波数帯域とは無関係に使用される数理を選択することができる。図３は、各種セルサイズ１６および各種周波数１８を伴うＮＲのための例示的なサブキャリア間隔候補構成を示す。
【００１６】
ＮＲアーキテクチャ
ＮＲ（５Ｇまたは次世代としても知られている）アーキテクチャは３ＧＰＰで議論されており、現在の概念が図４に示されている。図４において、ｅＮＢはＬＴＥ  ｅノードＢ１４を示し、ｇＮＢはＮＲ基地局（ＢＳ）２０を示し（１つのＮＲ  ＢＳ２０が１つ以上の送信／受信ポイントに対応し得る）、ノード間の線は第３世代パートナーシッププロジェクト（３ＧＰＰ）において議論されている対応するインタフェースを示す。さらに、図５および図６は、３ＧＰＰで論じられているＮＲ  ＢＳ２０を用いた展開シナリオを示す。
【発明の概要】
【００１７】
既存の解決策では、無線デバイス送信タイミング調整パラメータのひとつの集合が用いられる。例えば、ＬＴＥでは、１６ＴｓのＴＡステップサイズが使用される。しかし、これらの既存の値は、異なる数理が異なるキャリア上で使用されうる場合のＮＲ、または異なる数理が同じキャリア上で異なる時刻に使用されうる場合のＮＲについて最適ではない。例えば、値のひとつの集合は、ある数理に対して大きなタイミング不正確さをもたらし得る。これは、ネットワークノード、例えば、基地局、の受信性能を劇的に低下させる。その結果、これは、システム性能を劣化させるか、またはシステムが動作しなくなることさえある。
【００１８】
本開示およびその実施の形態の特定の態様は、これらの問題または他の問題に対する解決策を提供することができる。一般的な意味で、本明細書で提供される実施の形態は、数理パラメータに基づいてタイミング調整パラメータを決定し、次いで、タイミング調整パラメータに基づいて送信のタイミングを調整する方法、無線デバイス、およびネットワークノードを提供する。これらの構成によると、ネットワークノードの受信性能の保存が可能となる。
【００１９】
いくつかの実施の形態では、無線デバイスにおいて送信のタイミングを調整する方法が提供される。方法は、少なくとも第１数理パラメータに基づいて少なくとも第１タイミング調整パラメータを決定することを含む。方法はまた、第１タイミング調整パラメータに基づいてアップリンク送信のタイミングを調整することを含む。
【００２０】
ある実施の形態では、方法はさらに、調整されたアップリンク送信タイミングにしたがってアップリンク信号を送信することを含む。ある実施の形態では、アップリンク送信タイミング調整は、アップリンク信号の特性、ダウンリンク信号の特性および数理パラメータのうちの少なくともひとつに基づく。ある実施の形態では、第１数理パラメータは、サブキャリア間隔に基づくひとつの調整ステップの最大調整量である。ある実施の形態では、第１数理パラメータは、アップリンク送信のキャリア周波数に基づくタイミング調整の周波数である。ある実施の形態では、第１数理パラメータは、無線デバイスがアップリンク送信タイミングを集約調整レートで更新する際のその集約調整レートであり、集約調整レートはサブキャリア間隔に基づく。ある実施の形態では、方法はさらに、第２数理パラメータに基づいて第２タイミング調整パラメータを決定することと、無線デバイスがアップリンク送信用に用いるべき数理を決定することと、決定された数理に基づいて、第１タイミング調整パラメータおよび第２タイミング調整パラメータのうちのひとつを選択することと、第１および第２タイミング調整パラメータのうちの選択されたひとつを適用することで、アップリンク送信のタイミングを調整することと、を含む。ある実施の形態では、第１タイミング調整パラメータは決定されたアップリンク数理に基づき、第２タイミング調整パラメータは決定されたダウンリンク数理に基づく。いくつかの実施の形態では、少なくとも第１タイミング調整パラメータは無線デバイスによって自律的に決定される。ある実施の形態では、第１タイミング調整パラメータは、ネットワークノードから受信されたルールおよび所定の値のうちのひとつに基づいて決定される。ある実施の形態では、第１タイミング調整パラメータは、さらに、アップリンク帯域幅およびダウンリンク帯域幅のうちのひとつに基づいて決定される。ある実施の形態では、少なくとも第１タイミング調整パラメータはネットワークノードから受信されたタイミングアドバンスコマンドである。ある実施の形態では、第１および／または第２数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【００２１】
ある実施の形態では、送信のタイミングを調整するよう構成された無線デバイスが提供される。無線デバイスは、少なくとも第１数理パラメータに基づいて少なくとも第１タイミング調整パラメータを決定し、第１タイミング調整パラメータに基づいてアップリンク送信のタイミングを調整するよう構成された処理回路を含む。
【００２２】
ある実施の形態では、処理回路はさらに、調整されたアップリンク送信タイミングにしたがってアップリンク信号を送信するよう構成される。ある実施の形態では、アップリンク送信タイミング調整は、アップリンク信号の特性、ダウンリンク信号の特性および数理パラメータのうちの少なくともひとつに基づく。ある実施の形態では、第１数理パラメータは、サブキャリア間隔に基づくひとつの調整ステップの最大調整量である。ある実施の形態では、第１数理パラメータは、アップリンク送信のキャリア周波数に基づくタイミング調整の周波数である。ある実施の形態では、第１数理パラメータは、無線デバイスがアップリンク送信タイミングを集約調整レートで更新する際のその集約調整レートであり、集約調整レートはサブキャリア間隔に基づく。ある実施の形態では、処理回路はさらに、第２数理パラメータに基づいて第２タイミング調整パラメータを決定することと、無線デバイスがアップリンク送信用に用いるべき数理を決定することと、決定された数理に基づいて、第１タイミング調整パラメータおよび第２タイミング調整パラメータのうちのひとつを選択することと、第１および第２タイミング調整パラメータのうちの選択されたひとつを適用することで、アップリンク送信のタイミングを調整することと、を行うよう構成される。ある実施の形態では、第１タイミング調整パラメータは決定されたアップリンク数理に基づき、第２タイミング調整パラメータは決定されたダウンリンク数理に基づく。いくつかの実施の形態では、少なくとも第１タイミング調整パラメータは無線デバイスによって自律的に決定される。ある実施の形態では、第１タイミング調整パラメータは、ネットワークノードから受信されたルールおよび所定の値のうちのひとつに基づいて決定される。ある実施の形態では、第１タイミング調整パラメータは、さらに、アップリンク帯域幅およびダウンリンク帯域幅のうちのひとつに基づいて決定される。ある実施の形態では、第１タイミング調整パラメータはネットワークノードから受信されたタイミングアドバンスコマンドである。ある実施の形態では、第１および／または第２数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【００２３】
ある実施の形態では、送信のタイミングを調整するよう構成された無線デバイスが提供される。無線デバイスは、少なくとも第１数理パラメータに基づいて少なくとも第１タイミング調整パラメータを決定するよう構成されたタイミング調整パラメータ決定モジュールを含む。無線デバイスはさらに、第１タイミング調整パラメータに基づいてアップリンク送信のタイミングを調整するよう構成されたタイミング調整モジュールを含む。
【００２４】
ある実施の形態では、ネットワークノードにおいて、受信信号のタイミングを調整するための方法である。方法は、少なくとも第１数理パラメータに基づいて少なくとも第１タイミング調整パラメータを決定することであって、第１タイミング調整パラメータは、アップリンク信号を送信するために無線デバイスによって適用されるべき送信タイミング調整の量に関するものである、決定することを含む。方法はまた、決定された少なくともひとつの第１タイミング調整パラメータに基づいて、ネットワークノードのレシーバの少なくともひとつのパラメータを適合させることを含む。
【００２５】
ある実施の形態では、方法は、レシーバの適合された少なくともひとつのパラメータを用いて、無線デバイスからアップリンク送信を受信することをさらに含む。ある実施の形態では、方法は、少なくとも第１数理に基づいて第１タイミング調整パラメータを決定するためのルールを、無線デバイスに送信することをさらに含む。ある実施の形態では、方法は、少なくとも第１数理に基づいて第１タイミング調整パラメータを決定するための所定の値を、無線デバイスに送信することをさらに含む。ある実施の形態では、方法は、少なくとも第１数理に基づく第１タイミング調整パラメータを、無線デバイスに送信することをさらに含む。ある実施の形態では、第１タイミング調整パラメータはタイミングアドバンスコマンドである。ある実施の形態では、第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【００２６】
ある実施の形態では、受信信号のタイミングを調整するネットワークノードである。ネットワークノードは、少なくとも第１数理パラメータに基づいて少なくとも第１タイミング調整パラメータを決定することであって、第１タイミング調整パラメータは、アップリンク信号を送信するために無線デバイスによって適用されるべき送信タイミング調整の量に関するものである、決定することを行うよう構成された処理回路を含む。処理回路はさらに、決定された少なくともひとつの第１タイミング調整パラメータに基づいて、ネットワークノードのレシーバの少なくともひとつのパラメータを適合させるよう構成される。
【００２７】
ある実施の形態では、処理回路はさらに、レシーバの適合された少なくともひとつのパラメータを用いて、無線デバイスからアップリンク送信を受信するよう構成される。ある実施の形態では、処理回路はさらに、少なくとも第１数理に基づいて第１タイミング調整パラメータを決定するためのルールを、無線デバイスに送信するよう構成される。ある実施の形態では、処理回路はさらに、少なくとも第１数理に基づいて第１タイミング調整パラメータを決定するための所定の値を、無線デバイスに送信するよう構成される。
【００２８】
ある実施の形態では、処理回路はさらに、少なくとも第１数理に基づく第１タイミング調整パラメータを、無線デバイスに送信するよう構成される。ある実施の形態では、第１タイミング調整パラメータはタイミングアドバンスコマンドである。ある実施の形態では、第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【００２９】
ある実施の形態では、受信信号のタイミングを調整するネットワークノードが提供される。ネットワークノードは、少なくとも第１数理パラメータに基づいて少なくとも第１タイミング調整パラメータを決定することであって、第１タイミング調整パラメータは、アップリンク信号を送信するために無線デバイスによって適用されるべき送信タイミング調整の量に関するものである、決定することを行うよう構成されたタイミング調整パラメータ決定モジュールを含む。ネットワークノードはさらに、決定された少なくともひとつの第１タイミング調整パラメータに基づいて、ネットワークノードのレシーバの少なくともひとつのパラメータを適合させるよう構成されたレシーバパラメータ適合器を含む。
【００３０】
特定の実施の形態は、上記の利点のすべて、いくつか、またはいずれも有さなくてもよい。他の利点は、当業者には明らかであろう。
【図面の簡単な説明】
【００３１】
添付の図面と併せて考慮して以下の詳細な説明を参照すると、本実施の形態のより完全な理解およびその付随する利点およびフィーチャをより容易に理解することができるであろう。
【００３２】
【図１】ノードからの距離が異なる無線デバイスを伴うネットワークセルのブロック図である。
【図２】ノードまでの距離に依存するアップリンク送信のタイミングアドバンスのブロック図である。
【図３】様々なサブキャリア間隔候補構成のブロック図である。
【図４】新しい無線アーキテクチャのブロック図である。
【図５】図５−６は、ＮＲ展開例のブロック図である。
【図６】図５−６は、ＮＲ展開例のブロック図である。
【図７】いくつかの実施の形態による、様々な数理の下での自律タイミング調整のための例示的なシステムのブロック図である。
【図８】いくつかの実施の形態による、例示的な無線デバイスのブロック図である。
【図９】いくつかの実施の形態にしたがい動作する無線デバイスの代替的な実施の形態のブロック図である。
【図１０】いくつかの実施の形態による、例示的な自律タイミング調整プロセスのフローチャートである。
【図１１】いくつかの実施の形態による、別の例示的な自律タイミング調整プロセスのフローチャートである。
【図１２】いくつかの実施の形態による、例示的なネットワークノードのブロック図である。
【図１３】いくつかの実施の形態にしたがい構成されたネットワークノードの代替的な実施の形態のブロック図である。
【図１４】いくつかの実施の形態による、ネットワークノードのレシーバまたは通信インタフェースのための例示的なパラメータ調整プロセスのフローチャートである。
【図１５】いくつかの実施の形態による別の例示的な無線デバイスのブロック図である。
【図１６】自律タイミング調整のための例示的なプロセスのフローチャートである。
【図１７】自律タイミング調整のための別の例示的なプロセスのフローチャートである。
【図１８】いくつかの実施の形態にしたがい構成された代替的なネットワークノードのブロック図である。
【図１９】自律タイミング調整のための別の例示的なプロセスのフローチャートである。
【図２０】いくつかの実施の形態にしたがい構成された代替的な無線デバイスのブロック図である。
【図２１】自律タイミング調整のためのさらに別の例示的なプロセスのフローチャートである。
【図２２】受信信号のタイミングを調整するための例示的なプロセスのフローチャートである。
【発明を実施するための形態】
【００３３】
本開示は、有利には様々な数理の下での自律タイミング調整を提供する。したがって、本明細書の記載に触れた当業者には自明な詳細で開示を不明瞭にしないよう、本発明の実施の形態の理解に関係する具体的な詳細のみを示しつつ、適宜、図面において通常のシンボルで方法、無線デバイス、ノードおよびシステム部材を表した。
【００３４】
本明細書で用いられる場合、「第１」および「第２」や「上」および「底」などの相対的な用語は、エンティティや要素の間のいかなる物理的関係、物理的順序、論理的関係、論理的順序を要求したり暗示したりすることなく、あるエンティティまたは要素を他のエンティティまたは要素から区別するためだけに用いられてもよい。
【００３５】
そうでないと定義されない限り、本明細書で用いられる全ての用語（技術用語および専門用語を含む）は、本開示が属する技術分野の当業者によって普通に理解されるような意味と同じ意味を有する。本明細書で用いられる用語は本明細書および関連技術のコンテキストにおける意味と整合する意味を有するものとして解釈されるべきであり、本明細書で明示的にそうであると定義されない限り、理想的なまたは過度に形式的な意味で解釈されるはずもないこともまた理解されるべきである。
【００３６】
本明細書で説明される実施の形態では、「と通信する」という結合用語は、例えば、物理的接触、誘導、電磁放射、無線シグナリング、赤外線シグナリング、または光シグナリングによって達成され得る、電気通信またはデータ通信を示すために使用され得る。当業者は、複数の構成要素に互換性があり、電気通信およびデータ通信を達成するための修正および変形が可能であることを理解するであろう。
【００３７】
本開示で説明される任意の２つ以上の実施の形態は、任意の方法で互いに組み合わせることができる。説明される実施の形態はＮＲに限定されず、他のＲＡＴ、例えば、ＬＴＥ、ユニバーサルテレストリアルラジオアクセス（ＵＴＲＡ）、ＬＴＥ−Ａｄｖａｎｃｅｄ、５Ｇ、ＮＢ−インターネットオブシング（ＩｏＴ）、Ｗｉ−Ｆｉ、ブルートゥース、または柔軟な数理を使用可能な任意の新たな無線システムにおいて適合可能である。本明細書で説明する実施の形態は、例えば、汎用シングルキャリアまたはマルチキャリア／キャリアアグリゲーション（ＣＡ）／デュアルコネクティビティ／マルチコネクティビティなどの展開に適用することができる。
【００３８】
本明細書の無線デバイスは、無線信号を介してネットワークノードまたは別の無線デバイスと通信することができるユーザ機器（ＵＥ）などの、任意のタイプの無線デバイスとすることができる。無線デバイスはまた、無線通信デバイス、ターゲットデバイス、デバイスツーデバイス（Ｄ２Ｄ）無線デバイス、マシンタイプ無線デバイスまたはマシンツーマシン通信（Ｍ２Ｍ）が可能な無線デバイス、無線デバイスに備えられたセンサ、ｉＰＡＤ、タブレット、モバイル端末、スマートフォン、ラップトップ組み込み装置（ＬＥＥ）、ラップトップ取り付け装置（ＬＭＥ）、ユニバーサルシリアルバス（ＵＳＢ）ドングル、カスタマプレミス装置（ＣＰＥ）などであってもよい。
【００３９】
本明細書で使用される「ネットワークノード」という用語は、無線ネットワークノードまたは別のネットワークノード、例えば、コアネットワークノード、ＭＳＣ、ＭＭＥ、Ｏ＆Ｍ、ＯＳＳ、ＳＯＮ、測位ノード（例えば、Ｅ−ＳＭＬＣ）、ＭＤＴノードなどを指すことができる。
【００４０】
本明細書で使用される「ネットワークノード」または「無線ネットワークノード」という用語は、無線ネットワークに含まれる任意の種類のネットワークノードであってもよく、そのような無線ネットワークはさらに、基地局（ＢＳ）、無線基地局、トランシーバ基地局（ＢＴＳ）、基地局コントローラ（ＢＳＣ）、無線ネットワークコントローラ（ＲＮＣ）、ｇノードＢ（ｇＮＢ）、進化型ノードＢ（ｅＮＢまたはｅノードＢ）、ノードＢ、ＭＳＲ  ＢＳなどのマルチスタンダード無線（ＭＳＲ）無線ノード、マルチセル／マルチキャスト協調エンティティ（ＭＣＥ）、リレーノード、ドナーノード制御リレー、無線アクセスポイント（ＡＰ）、伝送ポイント、伝送ノード、遠隔無線ユニット（ＲＲＵ）遠隔無線ヘッド（ＲＲＨ）、コアネットワークノード（例えば、モバイル管理エンティティ（ＭＭＥ）、自己組織化ネットワーク（ＳＯＮ）ノード、協調ノード、測位ノード、ＭＤＴノードなど）、外部ノード（例えば、第三者ノード、現在のネットワークの外部のノード）、分散アンテナシステム（ＤＡＳ）内のノード、などを含んでもよい。ネットワークノードはまた、試験装置を備えてもよい。本明細書で使用される「無線ノード」という用語は、ＵＥなどの無線デバイスまたは無線ネットワークノードを示すためにも使用され得る。
【００４１】
さらに、無線デバイスまたはネットワークノードによって実行されるものとして本明細書で説明される機能は、複数の無線デバイスおよび／またはネットワークノードにわたって分散され得ることに留意されたい。言い換えれば、本明細書で説明されるネットワークノードおよび無線デバイスの機能は単一の物理デバイスによる実行に限定されず、実際、いくつかの物理デバイスの間で分散され得ることが企図される。
【００４２】
実施の形態は、単一キャリアに適用可能であると共に、無線デバイスが複数のサービングセルとデータを送受信することができる無線デバイスのマルチキャリアまたはキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信および／または受信とも呼ばれる（例えば、互換的に呼ばれる）。ＣＡでは、コンポーネントキャリア（ＣＣ）のうちの１つはプライマリコンポーネントキャリア（ＰＣＣ）または単にプライマリキャリア、さらにはアンカーキャリアである。残りのキャリアはセカンダリコンポーネントキャリア（ＳＣＣ）あるいは単にセカンダリキャリア、あるいは補助キャリアとも呼ばれる。サービングセルは、プライマリセル（ＰＣｅｌｌ）またはプライマリサービングセル（ＰＳＣ）と互換的に呼ばれる。同様に、セカンダリサービングセルは、セカンダリセル（ＳＣｅｌｌ）またはセカンダリサービングセル（ＳＳＣ）と互換的に呼ばれる。
【００４３】
二重接続（ＤＣ）動作では、無線デバイスはマスタｅＮＢ（ＭｅＮＢ）およびセカンダリｅＮＢ（ＳｅＮＢ）と呼ばれる少なくとも２つのノードによって担当されうる。より一般的には、複数接続性（マルチ接続性とも呼ばれる）動作では、無線デバイスは２つ以上のノード、例えば、ＭｅＮＢ、ＳｅＮＢ１、ＳｅＮＢ２など、によって担当されうる。無線デバイスは、ＭｅＮＢおよびＳｅＮＢの両方からのＰＣＣで構成される。ＭｅＮＢおよびＳｅＮＢからのＰＣｅｌｌは、それぞれＰＣｅｌｌおよびＰＳＣｅｌｌと呼ばれる。ＰＣｅｌｌおよびＰＳＣｅｌｌは、典型的には無線デバイスをそれぞれ独立して動作させる。無線デバイスはまた、ＭｅＮＢおよびＳｅＮＢのそれぞれからの１つまたは複数のＳＣＣで構成される。ＭｅＮＢおよびＳｅＮＢによって担当される対応するセカンダリサービングセルは、ＳＣｅｌｌと呼ばれる。ＤＣ中の無線デバイスは、典型的にはＭｅＮＢとの接続およびＳｅＮＢとの接続のそれぞれについて別々のＴＸ／ＲＸを有する。これにより、ＭｅＮＢおよびＳｅＮＢは、それぞれのＰＣｅｌｌおよびＰＳＣｅｌｌ上で、１つまたは複数の手順、たとえば、無線リンク監視（ＲＬＭ）、ＤＲＸサイクルなど、を用いて、無線デバイスを独立して構成することが可能になる。方法および実施の形態は、ＣＡ、ＤＣ、およびマルチ接続性（ＭＣ）のいずれにも適用可能である。
【００４４】
本明細書で使用される「シグナリング」という用語は（例えば、無線リソース制御、ＲＲＣなどを介した）上位レイヤシグナリング、（例えば、物理制御チャネルまたは報知チャネルを介した）下位レイヤシグナリング、またはそれらの組合せのいずれかを含むことができる。シグナリングは、暗黙的であっても明示的であってもよい。シグナリングはさらに、ユニキャスト、マルチキャスト、または報知であってもよい。シグナリングはまた、別のノードに直接的に、または第３のノードを介して行われてもよい。
【００４５】
本明細書で使用される「時間リソース」という用語は、時間の長さで表される任意のタイプの物理リソースまたは無線リソースに対応してもよい。時間リソースの例は、シンボル、タイムスロット、サブフレーム、無線フレーム、ＴＴＩ、インタリーブ時間などである。
【００４６】
本明細書で使用される「柔軟な数理」という用語は、例えば、サブキャリア間隔、ＲＢ当たりのサブキャリアの数、帯域幅内のＲＢの数などのうちの任意のひとつ以上を指すことができ、これらは、動的または半静的に変化するなど、柔軟な方法で設定可能である。例えば、ひとつのセルは、異なるリソース上で２つの数理を使用することができる。別の例では、ネットワークが異なる数理、例えば、ひとつの同一または異なるキャリア周波数、を使用するセルを含み、セルの数理は、例えば測定を実行する無線デバイスに自明に知られるということはない。
【００４７】
本明細書で使用される「無線測定」という用語は、無線信号に対して実行される任意の測定を指すことができる。無線測定は、絶対的であっても相対的であってもよい。無線測定は例えば、周波数内、周波数間、ＣＡ等であり得る。無線測定は一方向（例えば、ＤＬまたはＵＬ）または双方向（例えば、往復時間、ＲＴＴ、Ｒｘ−Ｔｘなど）であり得る。無線測定のいくつかの例：タイミング測定（例えば、到着時間（ＴＯＡ）、タイミングアドバンス、往復時間（ＲＴＴ）、ＲＳＴＤ、ＳＳＴＤ、Ｒｘ−Ｔｘ、伝搬遅延など）、角度測定（例えば、到着角度）、電力ベースの測定（例えば、受信信号電力、ＲＳＲＰ、受信信号品質、ＲＳＲＱ、信号対干渉プラスノイズ、ＳＩＮＲ、信号対ノイズ比、ＳＮＲ、チャネル状態情報、ＣＳＩ、チャネル品質インデクス、ＣＱＩ、ＰＭＩ、干渉電力、総干渉プラスノイズ、受信信号強度インジケータ、ＲＳＳＩ、ノイズ電力など）、セル検出または特定、ビーム検出または特定、システム情報読み取り（例えば、管理情報ベース、ＭＩＢ、および／またはひとつ以上のＳＩＢの取得など）、セルグローバルＩＤ（ＣＧＩ）の取得、ＲＬＭ。
【００４８】
いくつかの実施の形態では、無線デバイスによって適用される送信タイミング調整の量は、少なくとも無線デバイスによって送信されるアップリンク信号の数理に依存し、例えば、その調整は時間単位Ｔｓの倍数に等しく、倍数は数理に依存する。いくつかの実施の形態では、異なる量のタイミング調整は、少なくとも、数理に依存する異なる時間単位を適用することによって達成される。
【００４９】
タイミング調整の量の決定方法
本明細書で使用される「タイミング調整の量」という用語は、１つまたは複数のステップでの（例えば、ある時間にわたる）タイミング調整の量を指す。後者において、各ステップにおける調整は、対応する時間にわたるステップの数に依存し得る。
【００５０】
いくつかの実施の形態では、タイミング調整は、無線デバイスによって送信されるアップリンク信号の送信時間に対して、無線デバイスによって適用される。タイミング調整は、別のノードから受信された要求に基づく、例えば、ネットワークノードから受信されたＴＡコマンドを適用することに基づく、調整に基づいて、無線デバイスによって適用されてもよい。
【００５１】
同じ時間単位の倍数での可変タイミング調整
タイミング調整を設定することができる１つの方法は、調整が行われる時間単位の数を調整することによるものである。例えば、より大きなタイミング調整が行われる場合、タイミング調整は時間単位のより大きな倍数Ｎ１であり、より小さなタイミング調整が行われる場合、タイミング調整は、時間単位のより小さな倍数Ｎ２である。タイミング調整の量はＮ１＊デルタＴとすることができ、ここで、デルタＴは時間単位である。デルタＴの例は３２．５５×１０−９秒またはＴｓ（すなわち、３２．５５ｎｓ）である。デルタＴの別のより一般化された例は、デルタＴ＝フレーム長（時間単位）／Ｈであり、ここで、Ｈは一定値である。別の一般的な例では、デルタＴは、フレーム長、サブフレーム長、スロット長などのうちの１つまたは複数の関数とすることができる。
【００５２】
より一般的には、タイミング調整の量（Ｔａｉ）は、キャリア周波数（Ｎｉ）、デルタＴ、およびマージン（αｉ）のうちの少なくとも１つの数理に関連付けられた少なくとも１つのパラメータの関数とすることができる：
Ｔａｉ＝ｆ（Ｎｉ，デルタＴ，αｉ）        （１）
【００５３】
パラメータＴａｉは、調整ステップ、調整サイズ、最小調整値などとも呼ばれる。一例では、Ｎ１は第１数理に関連付けられ、Ｎ２は第２数理に関連付けられる。第１数理は１５ｋＨｚであってもよく、第２数理は６０ｋＨｚ以上であってもよい。この例は、Ｎｉ（ｉ＞２）へと拡張することができる。特別な場合として、αを無視することができる。
【００５４】
特定の例では、数理＃１および数理＃２のそれぞれについてのＴａ１およびＴａ２は、以下の（２）および（３）によって表すことができる：
Ｔａ１＝Ｎ１＊デルタＴ＊α１                （２）
Ｔａ２＝Ｎ２＊デルタＴ＊α２                （３）
【００５５】
さらに、Ｎ１およびＮ２は、それぞれ１５ＫＨｚおよび６０ＫＨｚのサブキャリア間隔に関連すると仮定する。この場合、一例として、Ｎ１およびＮ２はそれぞれ１６および４であり、α１＝α２＝１である。
【００５６】
同じ時間単位をＮ１およびＮ２と共に使用することができる。時間単位はすべての数理について同じの固定された所定の値であってもよく、設定可能であってもよく、所定のルールに基づいて決定されてもよく、または参照数理に基づいて決定されてもよい（例えば、複数の数理がＤＬおよびＵＬにおいて同じ無線デバイスによって使用される場合、および／または複数の数理のうちの１つが参照として選択されてもよい同一または異なるキャリア周波数上）。
【００５７】
タイミング調整ステップサイズはミニマムのまたは最小のタイミング調整ステップ、例えば、最小ＴＡ調整値、と呼ばれることもある。タイミング調整パラメータは、正または負の値、例えば±Ｙ  Ｔｓを有することができる。
【００５８】
サブキャリア間隔の機能としてのタイミングアドバンス（ＴＡ）ステップサイズの大きさの例を表１に示す。
【表１】
2019533923.tif 000003
【００５９】
さらに別の例では、数理のグループ（例えば、サブキャリア間隔）の機能としてのタイミングアドバンス（ＴＡ）ステップサイズも定義することができる。例えば、あるマージン内（例えば、３０ＫＨｚ内）のサブキャリア間隔は、同じＴＡ調整ステップサイズに関連付けられうる。サブキャリアのグループについてのＴＡ調整ステップサイズは、ルールまたは関数に基づいて定義されうる。そのようなルールの一例は、１つの固定された所定の値を定義することである。関数の例は、最小、最大、平均などである。例えば、グループ内のステップサイズは、そのグループ内の各サブキャリアに関連付けられたステップサイズの大きさの最小値に対応してもよい。これは表２に示される。
【表２】
2019533923.tif 000004
【００６０】
Ｔａｉの値は、以下のパラメータまたは条件のうちの１つまたは複数にさらに依存してもよい：
●  基準セルのＤＬ信号の帯域幅、例えば、より大きなＢＷ条件に対するより小さな調整ステップ（Ｓ１）、およびより小さなＢＷに対するより大きなステップ（Ｓ２）であり、ここで、Ｓ２＞Ｓ１である；
●  無線条件、例えば、静的条件におけるより小さい調整ステップ（Ｓ１）、およびマルチパスフェージングの場合におけるより大きいステップ（Ｓ２）であり、ここで、Ｓ２＞Ｓ１である。
【００６１】
倍数Ｎｉの選択
倍数（Ｎｉ）は、例えば、以下のうちの１つ以上に基づいて取得可能である：
●  事前に定義されたルールまたは関数；
●  テーブルに基づくマッピング、テーブルは、事前に定義されたものであってもよいし、ネットワークノードによって設定されてもよい；
●  別のノード（例えば、サービングＢＳから受信する無線デバイス、別のネットワークノードから受信するネットワークノード、無線デバイスから受信するネットワークノードなど）から受信されるメッセージまたは指示；
●  参照値に基づいて導出される（例えば、Ｎ１は参照番号ＮｒｅｆまたはＮ２などの別のＮｉに基づいて導出され、例えば、Ｎ１＝２＊Ｎｒｅｆ）。
【００６２】
ある実施の形態では、倍数Ｎｉはマッピングに基づいて選択され、該マッピングは、各数理に対して適用可能な値Ｎｉが定義される仕様において定義される。あるいはまた、数理またはＴＴＩまたはサブフレーム長の関数として値Ｎｉをどのように計算するかを決定する公式を定義することができ、例えば、Ｎｉ＝１６＊ＴＴＩ−持続時間（１５ｋＨｚのキャリア間隔ではＴＴＩ＝１［ｍｓ］、３０ＫＨｚのサブキャリア間隔ではＴＴＩ＝０．５ｍｓ、６０ＫＨｚではＴＴＩ＝０．２５ｍｓなど）である。
【００６３】
一例では、無線デバイスおよびネットワークの両方が同じ値／マッピング／関数／ルールなどを適用することができる場合、Ｎｉの明示的なシグナリングは必要とされないので、Ｎｉを決定するために、所定の値、マッピング、関数、ルールなどを使用することは効率的なシグナリングを可能にし得る。
【００６４】
別の例では、決定されたＮｉまたはＮｉを決定するために使用されるうるパラメータまたは所定の値／マッピング／関数／ルールは、別のノードにシグナリングされ得る。
【００６５】
別の例では、無線デバイスが適用することができる倍数Ｎｉは、ネットワークからのシグナリングに基づいて決定される。これにより、ネットワークは、どの倍数Ｎｉを適用するかを決定することができる。これは、ネットワークノードのいくつか（例えば、ｇＮＢ）がＴＡ値の大きな誤差に対処することができ、したがって、倍数Ｎｉが大きくなり得るので、有用であり得る。次いで、ネットワークノード（例えば、ｇＮＢ）が、単一のＴＡコマンドを使用して、大きなステップでＴＡ値を変更することができるので、これは有益であり得る。これは、各ＴＡコマンドについて、ネットワークノード（例えば、ｇＮＢ）が無線デバイスのＴＡ値を大きなステップで変更することができるからである。しかしながら、別のネットワークノード（例えば、ｇＮＢ）の場合（または別のシナリオの場合）、ＴＡ値への小さな誤差だけが許容されることになり、したがって、ＴＡ値のより細かい制御を可能にするので、小さな倍数Ｎｉが適用されるべきである。
【００６６】
倍数Ｎｉの選択がネットワークからのシグナリングに基づく場合、ネットワークノード（例えば、ｇＮＢ）は、例えば無線リソース制御（ＲＲＣ）シグナリングを用いて無線デバイスにこれをシグナリングすることであってもよい。ＲＲＣ信号はＲＲＣ再送によって保護され、したがって、損失のリスクが小さいので、ＲＲＣ信号を使用することはロバスト性を提供する。しかしながら、ＲＲＣ信号のオーバヘッドは大きい可能性がある。
【００６７】
さらに別の例では、ネットワークノード（例えば、ｇＮＢ）は、例えばＭＡＣ制御要素におけるものなどの、メディアアクセス制御（ＭＡＣ）シグナリングによって、無線デバイスがどの倍数Ｎｉを適用可能かを示す。ＭＡＣシグナリングは、Ｎｉのより動的な調整を可能にするＲＲＣシグナリングよりも迅速であり得る。これは、タイミング調整がいくつかの数理についてより頻繁に実行される必要があるために、数理が迅速におよび／または頻繁に変わる場合に有益であり得る。
【００６８】
時間単位持続時間に基づくタイミング調整サイズ
タイミング調整の量を変更する別の方法は、タイミング調整が行われる時間単位サイズを調整することである。したがって、小さな調整が行われるべきである場合、調整量はより小さな時間単位を使用して行われてもよく、一方、大きな調整が必要とされる場合、調整量はより大きな時間単位を使用して行われてもよい。時間単位のサイズは、数理に依存し得る。例えば、より小さい単位はより大きいキャリア間隔に関連付けられてもよく、より大きい単位のサイズはより小さいキャリア間隔に関連付けられてもよい。
【００６９】
例えば、より大きな量だけタイミングを調整するために、無線デバイスはＮ＊Ｔ１の調整を適用することができ、Ｔ１は時間単位であり、一方、無線デバイスがより小さな量だけタイミングを調整する必要がある場合、無線デバイスは、単位Ｔ２に基づいてＮ＊Ｔ２の調整を適用することができ、Ｔ２はＴ１よりも小さい。
【００７０】
より一般的には、タイミング調整の量は以下の関数とすることができる：
ｆ（デルタＴｉ），
ここで、関数ｆは、他のタイミング調整パラメータにさらに依存し得る。一例では、ｆはまた、すべての数理に共通であり得る倍数（スケーリング係数）Ｎに依存し得る。また、この代替例では、タイミング調整が時間単位の倍数であってもよいことを理解されたい。例えば、タイミング調整は１６＊Ｔｓであってもよく、ここで、Ｔｓは所望のタイミング調整サイズのサイズに依存する可変時間単位である。したがって、このタイミング調整は１６＊Ｔｓであってもよく、Ｔｓはタイミング調整のサイズを変更するように調整され、一方、代替例として、時間単位Ｔｓはタイミング調整サイズにかかわらず同じである。
【００７１】
数理依存パラメータに基づくタイミング調整
この実施の形態では、より一般的に、タイミング調整の量は数理に依存する少なくとも１つのパラメータに依存することができ、例えば、Ｐが数理依存パラメータである場合、関数ｆ（Ｐ）によって記述される。（上記の実施の形態で説明した）倍数またはスケーリング係数Ｎを使用することは、パラメータＰの１つの特定の例であるが、一般に、ｆはＰについて線形にスケーリングしてもよいし、しなくてもよい。
【００７２】
さらに別の実施の形態では、タイミング調整の量は、パラメータＰと、数理に依存し得る時間単位のサイズと、に依存し得る。例えば、数理ｉまたは数理のグループｉについて：
ｆ（Ｐ，デルタＴｉ）
【００７３】
数理に依存する可変最大ＴＡ値
無線デバイスとｇＮＢとの間の最大距離は、無線デバイスによって適用される最大ＴＡ値に依存する。サポートされる最大ＴＡ値が小さい場合、無線デバイスとｅＮＢとの間のサポート距離は、サポートされる最大ＴＡ値と比較して小さい。
【００７４】
ある実施の形態では、無線デバイスが適用する最大ＴＡ値は数理に依存する。各ＴＡステップのタイミング調整が小さい場合であっても、無線デバイスとｇＮＢとの間の大きな距離をサポートすることができるようにするために、代わりに、より多くのＴＡステップが適用されてもよい。例えば、ロングタームエボリューション（ＬＴＥ）では、ＴＡステップの最大数は２１１である。そして、各ＴＡステップは、無線デバイスからｅＮＢまでの伝播距離のおおよそ７５メートルを補償する。上述の実施の形態が適用される場合、各ＴＡステップはより小さくてもよく、したがって、無線デバイスからｇＮＢ／ｅＮＢまでの最大サポート距離は低減される。しかしながら、この実施の形態では、たとえ数理が各ＴＡステップをより小さくしたとしても、無線デバイスとｇＮＢ／ｅＮＢとの間の長い距離をサポートすることが可能である。
【００７５】
これは、数理に応じて適用可能なＴＡステップの最大数を変更することによって実現することができる。例えば、ＴＡステップサイズが小さい場合、ＴＡステップの最大数はより短い伝播距離を補償するために増加されてもよく、一方、ＴＡステップサイズが大きい場合、ＴＡステップの最大数は減少されてもよい。
【００７６】
数理（および関連するサブキャリア間隔）とＴＡステップの最大数との間の例示的な関係が、以下の表３に提供される。
【表３】
2019533923.tif 000005
【００７７】
数理に依存する可変ＴＡタイマ処理
無線デバイスによって適用される各ＴＡ値について、無線デバイスは、ＴＡ値が有効であるか否かを決定するＴＡタイマ（ＴＡＴ）を有する。ＴＡタイマが動作している場合、無線デバイスはＴＡ値を有効とみなし、タイマが動作していない場合、無線デバイスはＴＡ値を有効でないとみなす。無線デバイスは、無線デバイスがｅＮＢから更新されたＴＡ値を取得するたびに、ＴＡタイマを再開する。無線デバイスが所定の期間、更新されたＴＡ値を受信しなかった場合、ＴＡＴは満了し、これはＴＡ値を無効にする。そのような実施の形態では、送信に関連付けられたＴＡ値が有効である場合にのみ、無線デバイスは送信を行うことを許可されてもよい。
【００７８】
ＴＡ値は、ｅＮＢと無線デバイスとの間の伝搬遅延を補償するために使用される。ＴＡ値は、無線デバイスのアップリンク送信が「レシーバウインドウ」で受信されることを保証すべきである。ＴＡ値が有効であるとみなされるべきか否かは、アップリンク送信がその「レシーバウインドウ」で到着するか否かに依存し、したがって、ＴＡ値が無線デバイスおよびｅＮＢからの実際の伝搬距離とマッチするか否かに依存する。無線デバイスとｅＮＢとの間の伝播遅延は、無線デバイスがｅＮＢに近づく／から遠ざかるにつれて変化する。したがって、ＴＡＴの持続時間（ＴＡ値が更新された後にどのくらいの期間有効であるとみなされるべきかを指示する）は無線デバイスの速度に依存し、高速で移動する無線デバイスのＴＡＴ値は一般に、低速で移動する無線デバイスのＴＡＴ値よりも短くなければならない。
【００７９】
ある実施の形態では、ＴＡタイマの持続時間は数理に応じて調整される。大きなサブキャリア間隔を伴う数理の場合、無線デバイスはより短いＴＡＴ持続時間を適用し、一方、より小さなサブキャリア間隔を有する場合、無線デバイスはより長いＴＡＴを適用することがあり得る。これの利点は、サブキャリア間隔が大きい数理ではＴＡ値の誤差が小さいことがより望ましく、一方、サブキャリア間隔が小さい数理ではＴＡ値の確度に対する要件を緩和することができることである。
【００８０】
したがって、いくつかの実施の形態は、数理が小さいサブキャリア間隔を有する場合、無線デバイスがより長い期間にわたってＴＡ値を正当であると見なすことを可能にする。この場合、そのＴＡ値は、大きなサブキャリア間隔を有する数理のために必要とされるほど頻繁に更新される必要はない。
【００８１】
この実施の形態は、ｅＮＢが第１数理の送信のために使用されるＴＡ値に関連付けられたＴＡＴ用に第１持続時間を設定し、第２数理の送信のために使用されるＴＡ値に関連付けられたＴＡＴ用に第２持続時間を設定することにより実現可能であり、例えば、大きなサブキャリア間隔を伴う数理用により短い持続時間を、小さなサブキャリア間隔を伴う数理用により長い持続時間を、設定することにより実現可能である。
【００８２】
この実施の形態の別の可能な実装は、無線デバイスが数理に依存してＴＡＴ持続時間をスケーリングすることである。次いで、ｇＮＢ／ｅＮＢは１つのＴＡＴ持続時間を無線デバイスに送信してもよく、無線デバイスは、無線デバイスが異なる数理のために使用する実際のタイミング持続時間を決定する。これは、ｅＮＢが異なるＴＡ値に対する異なるＴＡＴ持続時間をシグナリングする場合と比較して、シグナリングを節約する。
【００８３】
数理（および関連するサブキャリア間隔）とＴＡＴ持続時間との間の例示的な関係が、以下の表４に提供される。
【表４】
2019533923.tif 000006
【００８４】
ある実施の形態では、無線デバイスのすべてのＴＡＴ、すなわち、各ＴＡ値に関連付けられたＴＡＴ、に対して、同じ持続時間が適用される。次いで、持続時間は、無線デバイスによって使用されるすべての数理を考慮して決定されてもよい。ＴＡＴ持続時間は最も厳格な数理（すなわち、最短のＴＡＴ持続時間を必要とする数理）を考慮して設定されてもよい。例えば、表３の例示的なマッピングを使用して、無線デバイスがサブキャリア間隔１５および４５の両方を使用している場合、ＴＡＴ持続時間はこれらの数理に対する最小ＴＡＴ持続時間、すなわち、この場合、５００／３に設定されてもよい。
【００８５】
同様の指示子が同様の要素を指す図面に戻り、図７には、本開示の原理にしたがう種々の数理の下での自律タイミング調整のための例示的システムが示され、それは総じて「２２」で示される。システム２２は、１つまたは複数の通信プロトコルを使用して１つまたは複数の通信ネットワークを介して互いに通信する、１つまたは複数のネットワークノード２４および１つまたは複数の無線デバイス２６ａ〜２６ｎ（無線デバイス２６と総称する）を含み、無線デバイス２６および／またはネットワークノード２６は、本明細書で説明するプロセスを実行するように構成される。
【００８６】
図８は、本開示による、例示的な無線デバイス２８のブロック図である。無線デバイス２８は処理回路３０を含む。処理回路３０は、メモリ３２およびプロセッサ３４を含む。従来のプロセッサおよびメモリに加えて、処理回路３０は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ３４は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ３２にアクセスする（例えば、そこに書き込むおよび／またはそこから読み出す）ように構成されてもよい。そのようなメモリ３２は、プロセッサ３４によって実行可能なコードおよび／または他のデータ、例えば、通信に関するデータ、例えば、ノードの構成および／または宛先データなど、を保持するように構成されてもよい。
【００８７】
処理回路３０は、本明細書で説明される方法および／またはプロセスのいずれかを制御するように、および／または、そのような方法および／またはプロセスを、例えば、無線デバイス２８によって実行させるように構成されてもよい。プロセッサ３４は、本明細書で説明される無線デバイス２８の機能を実行するための１つまたは複数のプロセッサに対応する。無線デバイス２８は、データ、プログラムソフトウエアコード、および／または本明細書で説明される他の情報を保持するように構成されるメモリ３２を含む。１つまたは複数の実施の形態では、メモリ３２は、プロセッサ３４によって実行されると、プロセッサに、無線デバイスによって送信されるアップリンク信号の数理に関連付けられた少なくとも第１数理数学パラメータ、Ｐｎ１、を取得させる数理決定コード３６を保持するように構成される。メモリ３２はさらに、プロセッサ３４に、アップリンク信号、Ｐｔ１、を送信するために無線デバイス２８によって適用されるべきトランジットタイミング調整の量に関連する少なくとも第１タイミング調整パラメータ、Ｐｔ１、を決定させるタイミング調整パラメータ決定コード３８を含み、Ｐｔ１はＰｎ１に関連付けられる。メモリ３２はさらに、プロセッサ３４に、決定されたＰｔ１を適用することにより、無線デバイス２８によって送信されるべきアップリンク信号のアップリンク送信タイミングを調整させるタイミング調整コード４０を含む。メモリ３２はまた、Ｐｔ１およびＰｎ１を保持するように構成される。トランシーバ４２は処理回路３０と通信し、無線デバイス２８から通信信号を送信し、無線デバイス２８に送信された通信信号を受信するように構成される。トランシーバ４２は、単一のユニットとして示されているが、実装はそのような構成だけに限定されないことを理解されたい。別個の物理的レシーバおよび送信機を使用することができることが想定されている。ある実施の形態では。トランシーバ４２は、Ｐｎ１を受信するように構成される。
【００８８】
代替的な実施の形態では、タイミング調整パラメータ決定コード３８は、少なくとも第１数理パラメータに基づいて少なくとも第１タイミング調整パラメータを決定するよう構成される。ある実施の形態では、後述の通り、第１タイミング調整パラメータは無線デバイス２８によって自律的に決定される。タイミング調整コード４０は、第１タイミング調整パラメータに基づいてアップリンク送信のタイミングを調整するよう構成される。
【００８９】
図９は、Ｐｔ１およびＰｎ１を保持するように構成されたメモリモジュール３３を含む、無線デバイス２８の代替的な実施の形態のブロック図である。無線デバイス２８はまた、無線デバイスによって送信されるアップリンク信号の数理に関連付けられた少なくとも第１数理パラメータ、Ｐｎ１、を取得するように構成された数理決定モジュール３７を含んでもよい。無線デバイス２８はまた、アップリンク信号、Ｐｔ１、を送信するために無線デバイスによって適用されるべきトランジットタイミング調整の量に関連する少なくとも第１タイミング調整パラメータ、Ｐｔ１、を決定するよう構成されたタイミング調整決定モジュール３９を含み、Ｐｔ１はＰｎ１に関連付けられる。無線デバイス２８はまた、決定されたＰｔ１を適用することにより、無線デバイスによって送信されるべきアップリンク信号のアップリンク送信タイミングを調整するよう構成されたタイミング調整モジュール４１を含む。無線デバイス２８はまた、調整された送信タイミングに従ってアップリンク信号を送信するように構成されたトランシーバモジュール４３を含む。
【００９０】
ある実施の形態では、タイミング調整パラメータ決定モジュール３９は、少なくとも第１数理パラメータに基づいて少なくとも第１タイミング調整パラメータを決定するよう構成される。タイミング調整モジュール４１は、第１タイミング調整パラメータに基づいてアップリンク送信のタイミングを調整するよう構成される。ある実施の形態では、第１タイミング調整パラメータは無線デバイス２８によって自律的に決定される。
【００９１】
図１０は、無線デバイス２８における送信のタイミングを調整する例示的なプロセスのフローチャートである。このプロセスは、処理回路３０またはモジュール３７、３９、４１および４３によって実行可能であり、無線デバイス２８によって送信されたアップリンク信号の数理に関連付けられた少なくとも第１数理パラメータ、Ｐｎ１、を取得することを含む（ブロックＳ１００）。このプロセスはまた、アップリンク信号、Ｐｔ１、を送信するために無線デバイス２８によって適用されるべきトランジットタイミング調整の量に関連する少なくとも第１タイミング調整パラメータ、Ｐｔ１、を決定することを含み、Ｐｔ１はＰｎ１に関連付けられる（ブロックＳ１０２）。このプロセスはまた、決定されたＰｔ１を適用することにより、無線デバイスによって送信されるべきアップリンク信号のアップリンク送信タイミングを調整することを含む（ブロックＳ１０４）。
【００９２】
図１１は、無線デバイス２８における送信のタイミングを調整する代替的なプロセスのフローチャートである。このプロセスは、処理回路３０またはモジュール３７、３９、４１および４３によって実行可能であり、第１数理および第２数理にそれぞれ関連付けられた少なくとも第１タイミング調整パラメータ、Ｐｔ１１、および第２タイミング調整パラメータ、Ｐｔ１２、を取得することを含む。プロセスはまた、アップリンク信号を送信するために無線デバイス２８によって用いられる数理を決定することを含む（ブロックＳ１０８）。このプロセスはまた、アップリンク信号を送信するために無線デバイスによって用いられる決定された数理に基づいて、タイミング調整パラメータ、Ｐｔ１１またはＰｔ１２を選択することを含む（ブロックＳ１１０）。このプロセスはまた、無線デバイス２８によって送信されるべきアップリンク信号のアップリンク送信タイミングを調整するために、選択されたタイミング調整パラメータを適用することを含む（ブロックＳ１１２）。
【００９３】
図１２は、例示的なネットワークノード４４のブロック図である。ネットワークノード４４は処理回路４６を含む。処理回路４６は、メモリ４８およびプロセッサ５０を含む。従来のプロセッサおよびメモリに加えて、処理回路４６は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ５０は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ４８にアクセスする（例えば、そこに書き込むおよび／またはそこから読み出す）ように構成されてもよい。そのようなメモリ４８は、プロセッサ５０によって実行可能なコードおよび／または他のデータ、例えば、通信に関するデータ、例えば、ノードの構成および／または宛先データなど、を保持するように構成されてもよい。
【００９４】
処理回路４６は、本明細書で説明される方法および／またはプロセスのいずれかを制御するように、および／または、そのような方法および／またはプロセスを、例えば、ネットワークノード４４によって実行させるように構成されてもよい。プロセッサ５０は、本明細書で説明されるネットワークノード４４の機能を実行するための１つまたは複数のプロセッサに対応する。ネットワークノード４４は、データ、プログラムソフトウエアコード、および／または本明細書で説明される他の情報を保持するように構成されるメモリ４８を含む。１つまたは複数の実施の形態では、数理決定コード５２は、プロセッサ５０によって実行されると、プロセッサに、アップリンク信号を送信するために無線デバイスによって使用される数理を決定させる。タイミング調整パラメータ決定コード５４は、プロセッサに、信号を送信するために使用される決定された数理に関連付けられた少なくとも第１タイミング調整パラメータ（Ｐｔ１）を取得させる。レシーバパラメータ適合コード５６は、決定された少なくとも１つの第１タイミング調整パラメータに基づいて、プロセッサに、ネットワークノードのレシーバの少なくとも１つのパラメータに適合させる。トランシーバ５８は、決定されたＰｔ１の値を無線デバイス２０に送信するよう構成された送信機を含む。トランシーバ５８は処理回路４６と通信し、ネットワークノード４４から通信信号を送信し、ネットワークノード４４に送信された通信信号を受信するように構成される。トランシーバ５６は、単一のユニットとして示されているが、実装はそのような構成だけに限定されないことを理解されたい。別個の物理的レシーバおよび送信機を使用することができることが想定されている。
【００９５】
ある実施の形態では、タイミング調整パラメータ決定コード５４は、プロセッサに、少なくとも第１数理パラメータに基づいて少なくとも第１タイミング調整パラメータを決定させ、第１タイミング調整パラメータは、アップリンク信号を送信するために無線デバイス２８によって適用されるべき送信タイミング調整の量に関するものである。レシーバパラメータ適合コード５６は、決定された少なくとも１つの第１タイミング調整パラメータに基づいて、プロセッサに、ネットワークノードのレシーバの少なくとも１つのパラメータに適合させる。
【００９６】
図１３は、メモリモジュール４９を含む代替的なネットワークノード４４のブロック図である。数理決定モジュール５３は、アップリンク信号を送信するために無線デバイスによって使用される数理を決定するように構成される。タイミング調整パラメータ決定モジュール５５は、信号を送信するために使用される決定された数理に関連付けられた少なくとも第１タイミング調整パラメータ（Ｐｔ１）を取得するよう構成される。レシーバパラメータ適合モジュール５７は、決定された少なくとも１つの第１タイミング調整パラメータタイミング調整パラメータに基づいて、プロセッサに、ネットワークノードのレシーバの少なくとも１つのパラメータに適合させる。トランシーバモジュール５８は、決定されたＰｔ１の値を無線デバイスに送信するよう構成される。
【００９７】
他の実施の形態では、タイミング調整パラメータ決定モジュール５５は、少なくとも第１数理パラメータに基づいて少なくとも第１タイミング調整パラメータを決定するよう構成され、第１タイミング調整パラメータは、アップリンク信号を送信するために無線デバイス２８によって適用されるべき送信タイミング調整の量に関するものである。レシーバパラメータ適合モジュール５７は、決定された少なくともひとつの第１タイミング調整パラメータに基づいて、ネットワークノード４４のレシーバの少なくともひとつのパラメータを適合させるよう構成される。
【００９８】
図１４は、ネットワークノードにおける、無線デバイスのアップリンク送信のタイミングを調整するための例示的なプロセスのフローチャートである。プロセスは、アップリンク信号を送信するために無線デバイスによって用いられる数理を決定すること（ブロックＳ１１４）を含む。プロセスはまた、信号を送信するために使用される決定された数理に関連付けられた少なくとも第１タイミング調整パラメータ、Ｐｔ１、を取得すること（ブロックＳ１１６）を含む。プロセスはまた、決定されたＰｔ１の値を無線デバイスに送信すること（ブロックＳ１１８）を含む。
【００９９】
図１５は、本開示の原理にしたがう、例示的な無線デバイス５８のブロック図である。無線デバイス５８は、システム２２内の１つまたは複数の他の無線デバイス５８、ネットワークノード４４、および／または他の要素と通信するための１つまたは複数の通信インタフェース６０を含む。１つまたは複数の実施の形態では、通信インタフェース６０は、１つまたは複数の送信機および／または１つまたは複数のレシーバを含む。無線デバイス５８は処理回路６２を含む。処理回路６２は、メモリ６４およびプロセッサ６６を含む。従来のプロセッサおよびメモリに加えて、処理回路６２は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ６６は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ６４にアクセスする（例えば、そこに書き込むおよび／またはそこから読み出す）ように構成されてもよい。そのようなメモリ６４は、プロセッサ６６によって実行可能なコードおよび／または他のデータ、例えば、通信に関するデータ、例えば、ノードの構成および／または宛先データなど、を保持するように構成されてもよい。
【０１００】
処理回路６２は、本明細書で説明される方法および／またはプロセスのいずれかを制御するように、および／または、そのような方法および／またはプロセスを、例えば、無線デバイス５８によって実行させるように構成されてもよい。プロセッサ６６は、本明細書で説明される無線デバイス５８の機能を実行するための１つまたは複数のプロセッサに対応する。無線デバイス５８は、データ、プログラムソフトウエアコード、および／または本明細書で説明される他の情報を保持するように構成されるメモリ６４を含む。
【０１０１】
１つまたは複数の実施の形態では、メモリ６４は、自律タイミング調整コード６８を保持するように構成される。例えば、自律タイミング調整コード６８は、プロセッサ６６によって実行されると、プロセッサ６６に、図１６および図１７、ならびに本明細書で説明される実施の形態に関して詳細に説明されるプロセスを実行させるインストラクションを含む。
【０１０２】
図１６は、本開示の原理にしたがう、例示的な自律タイミング調整プロセスのフロー図である。処理回路６２は、無線デバイス５８によって送信されるアップリンク、ＵＬ、信号の数理に関連付けられた少なくとも１つの数理パラメータに基づいて、少なくとも１つの自律タイミング調整パラメータを決定する（ブロックＳ１２０）。少なくとも１つの数理パラメータは後述される。処理回路６２は、少なくとも１つの自律タイミング調整パラメータを使用してＵＬ信号を送信する（ブロックＳ１２２）。
【０１０３】
図１７は、本開示の原理にしたがう、他の例示的な自律タイミング調整プロセスのフロー図である。処理回路６２は、無線デバイス５８によって送信されるアップリンク信号の数理に関連付けられた少なくとも第１数理パラメータ（Ｐｎ１）を取得する（ブロックＳ１２４）。処理回路６２は、アップリンク信号を送信するために無線デバイス５８によって適用されるべき自律送信タイミング調整の量に関する自律タイミング調整パラメータ（Ｐｔ１）の少なくとも第１の集合を決定または導出する（ブロックＳ１２６）。処理回路６２は、無線デバイス５８によって送信されるべきアップリンク信号のアップリンク送信タイミングを自律的に調整するために、決定されたＰｔ１を適用する（ブロックＳ１２８）。処理回路６２は、自律的に調整された送信タイミングでＵＬ信号を送信する（ブロックＳ１３０）。
【０１０４】
１つまたは複数の実施の形態では、無線デバイス５８は、キャリア上で使用される数理に依存して、アップリンク送信のためのタイミング調整の量を決定する。したがって、無線デバイス５８は、第１数理の第１タイミング調整と、第２数理の第２タイミング調整と、を適用することができる。ＴＴＩ持続時間が短い場合には無線デバイス５８がより小さいタイミング調整を適用し、ＴＴＩ持続時間が長い場合には無線デバイス５８がより大きいタイミング調整を適用するようにしてもよい。
【０１０５】
自律送信タイミング調整を調整するための１つ以上の方法
ここでは、無線デバイス５８が数理に基づいて、自律アップリンク送信タイミングメカニズムをどのように調整するかについて説明する。メカニズムの以下の例示的な態様は、数理に基づいて調整することができる：
（１）１つの調整ステップの最大調整量。
（２）タイミング調整ステップの頻度。
（３）最小集約調整レート。
（４）最大集約調整レート。
（５）タイミングエラー限界。
【０１０６】
最大自律調整ステップサイズ（１）
１つの調整ステップの最大量の大きさは、少なくとも、アップリンク信号を送信するために無線デバイス５８によって使用される数理に依存し得る。第１数理の場合、無線デバイス５８は第１調整ステップサイズＴｓ１を適用することができ、一方、別の数理の場合、無線デバイス５８は第２ステップサイズＴｓ２を適用することができる。例えば、より大きいサブキャリア間隔に対する１つの調整ステップの最大量の大きさは、より小さいサブキャリア間隔に対するものと比較して、より小さいものとなりうる。
【０１０７】
これは、無線デバイス５８が数理に対して大きすぎる／小さすぎるタイミング調整ステップサイズを適用しないことを確実にする。無線デバイス２６によって使用されるステップサイズが大きすぎる場合、無線デバイス５８からのアップリンク送信がネットワークノード（例えば、ｇＮＢ）によって正しく復号されない可能性があり、および／または干渉が生成される可能性があるので、無線ネットワークノード（例えば、ｇＮＢ）におけるレシーバ性能が低下する可能性がある。しかしながら、ステップサイズが小さすぎると、無線デバイス２６は正確なアップリンク送信タイミングを保証するために、多くの調整ステップを実行する必要があり得る。無線デバイス５８におけるより多くの数の調整は、そのバッテリを消耗させ、そしてまた、より複雑でより頻繁な処理を必要とする。
【０１０８】
数理を考慮したタイミング調整の頻度（２）
自律送信タイミング調整は、無線デバイス５８が送信タイミングを更新する頻度を調整することによって変更されてもよい。例えば、無線デバイス５８がアップリンク送信タイミングを調整する頻度を適用することによって、タイミング調整の頻度または周期は、無線デバイス５８によって信号が送信されるキャリア周波数の数理に依存し得、例えば、第１数理（または数理のグループ）についてはより頻繁であり、第２数理（または数理のグループ）についてはあまり頻繁ではないことがある。加えて、それはさらにタイミング調整ステップサイズに依存してもよく、タイミング調整ステップサイズは次に、無線デバイス５８によって信号が送信されるキャリアの数理に依存する。
最大／最小集約調整レート（３）／（４）
無線デバイス５８によって適用される集約調整レートは、無線デバイス５８がアップリンク送信タイミングを更新するレートを指示する。これは、ある期間中に無線デバイス５８がタイミングをどのくらいの量だけ調整し得るかとして表現され得る。これは、より大きなサブキャリア間隔を伴う数理の場合に無線デバイス５８がより大きな調整レートを適用し、より小さなサブキャリア間隔の場合に無線デバイス５８がより小さな調整レートを適用するように、数理に依存し得る。より小さい最大調整レートは、無線デバイス５８がアップリンク送信タイミングをあまりにも速く変更しないことを保証するのであって、これは、無線ネットワークノード（例えば、ｇＮＢ）が無線デバイス５８のアップリンク送信を追跡することができないという結果になり得るからであり、一方、最小調整レートに対する制限は、無線デバイス５８のアップリンク送信タイミングが無線ネットワークノード（例えば、ｇＮＢ）において非同期にならないことを保証する。無線デバイス５８のアップリンク信号がその中で受信される必要がある無線ネットワークノード（例えば、ｇＮＢ）における時間ウインドウが数理に依存し得るので、最大／最小集約調整レートが数理に基づいて調整される場合、有益である。
【０１０９】
数理を考慮したタイミングエラー限界（５）
無線デバイス５８は、送信に関連付けられた数理に依存して、異なる送信タイミングエラー限界を適用することができる。次いで、無線デバイス５８は、数理１（ＮＵＭ１）に対する１つの関連タイミングエラー限界（ＴＥＬ１）と、数理２（ＮＵＭ２）に関連付けられた別のタイミングエラー限界（ＴＥＬ２）と、を有することができる。タイミングエラー限界は、送信について、許容可能／許可されたタイミングエラーがどれだけあるかを指示してもよい。タイミングエラー限界が満たされない場合、無線デバイス５８は、上述のように、自律ＵＬ送信タイミング調整を実行することを要求され得る。
【０１１０】
数理に依存するタイミングエラー限界を有する利点は、例えば、いくつかの数理についてはある（比較的大きい）タイミングエラーが存在することが許容され、したがって、無線デバイス５８は自律送信タイミング調整を非常に頻繁に実行する必要がなく、したがって、無線デバイス５８は電力を節約することができることである。しかしながら、いくつかの他の数理では、小さいタイミングエラーを有することがより重要でありうるのであって、したがって、無線デバイス５８はエラーがより小さく保たれるように、自律送信タイミング調整を適用する。
【０１１１】
一般に、タイミングエラー限界は、数理の関数とすることができる：
タイミングエラー限界＝ｆ（ＮＵＭ）
【０１１２】
無線デバイス５８は、この送信がどの数理に関連付けられているかを決定し、この決定に基づいて、どのタイミングエラー限界がこの送信に関連付けられているかを決定する。
【０１１３】
また、無線デバイス５８は、タイミングエラー限界を決定するときに、送信に関連付けられた帯域幅および数理の両方を考慮するようにしてもよい。無線デバイス５８は、上記において、ダウンリンク帯域幅のみおよび／またはアップリンク帯域幅のみを考慮するようにしてもよい。換言すれば、タイミングエラー限界は、数理および帯域幅の両方の関数である：
タイミングエラー限界＝ｆ（ＮＵＭ，帯域幅）
【０１１４】
無線デバイス５８は、（同じ数理が与えられると）帯域幅の集合に対して同じタイミングエラー限界を適用してもよく、例えば、３ＭＨｚより上の全ての帯域幅に対して、無線デバイス５８は、同じタイミングエラー限界を適用してもよいことに留意されたい。
【０１１５】
ＵＬ数理とＤＬ数理とが異なる場合の自律調整
任意の１つまたは複数の自律タイミング調整パラメータ（例えば、１つの調整ステップの最大量の大きさ、最小および最大調整レートなど）は、さらに、無線デバイス５８によって送信されるアップリンク信号の数理に加えて、無線デバイス５８によってネットワークノードから受信されるダウンリンク信号の数理に依存してもよい。これは、受信信号のダウンリンク受信タイミングに基づくアップリンクタイミング調整の確度が、ダウンリンク信号受信の確度の影響を受ける可能性があるためである。自律タイミング調整パラメータのうちの任意の１つまたは複数は、例えば、無線デバイス５８において、ネットワークノードによって事前に定義されたかまたは設定されていてもよい以下の例示的な原理のうちの任意の１つまたは複数に基づいて決定されてもよい：
●  一例では、自律タイミング調整パラメータの集合がＤＬ数理およびＵＬ数理の集合について定義されてもよい。これは、例えば、自律タイミング調整パラメータの集合と、セル内の無線デバイス５８によって使用されるＵＬ数理およびＤＬ数理と、の間の事前に定義されたマッピングに関して表すことができる。
●  別の例では、自律タイミング調整パラメータの集合は、ＤＬ数理とＵＬ数理と間の関係に依存して、ＤＬ数理に基づくか、またはＵＬ数理に基づいてもよい。例えば、ＵＬサブキャリア間隔がダウンリンクよりも大きい場合、パラメータの１つまたは複数の集合はＵＬ数理（例えば、ＵＬサブキャリア間隔）に基づく。そうでなければ、無線デバイス５８は、ＵＬ数理またはＤＬ数理のいずれかに基づくパラメータの１つまたは複数の集合を使用することができる。
●  さらに別の例では、１つの調整ステップの最大量の大きさは、ＤＬ数理およびＵＬ数理に関連付けられた１つまたは複数のパラメータの関数として定義することができる。関数の例は、最大、最大、平均などである。例えば、最小の機能を仮定すると、無線デバイス５８は、ＵＬ数理およびＤＬ数理に対応する調整ステップサイズの最小値を使用してもよい。例えば、セルにおいて使用されるＵＬおよびＤＬサブキャリア間隔がそれぞれ１５ＫＨｚおよび３０ＫＨｚである場合、最小機能に基づいて、無線デバイス５８は、３０ＫＨｚのサブキャリア間隔に対応する調整ステップ、すなわち３．５／２Ｔｓを適用してもよい。
【０１１６】
例：
無線デバイス５８によって適用される送信タイミングの無線デバイス５８自律調整の一例を、以下の表５に示す。
【表５】
2019533923.tif 000007
表５：同じセルＢＷに対する数理（例えば、サブキャリア間隔）の関数としてのＵＬ送信タイミングの自律調整の大きさ
【０１１７】
自律調整は、ＤＬ受信タイミングに基づいており、関連するパラメータ（例えば、自律タイミング調整ステップサイズの大きさの最大量、最小集約タイミング調整レート、最大集約タイミング調整レート、タイミングエラー限界など）によって制限される。
【０１１８】
数理に関連付けられた自律調整パラメータに基づく、ネットワークノードにおけるレシーバの適応
図１８は、本開示の原理にしたがう、例示的なネットワークノード７０のブロック図である。ネットワークノード７０は、システム２２内の１つまたは複数の他のネットワークノード７０、無線デバイス５８、および／または他の要素と通信するための１つまたは複数の通信インタフェース７２を含む。１つまたは複数の実施の形態では、通信インタフェース７２は、１つまたは複数の送信機および／または１つまたは複数のレシーバを含む。ネットワークノード７０は処理回路７４を含む。処理回路７４は、メモリ７６およびプロセッサ７８を含む。従来のプロセッサおよびメモリに加えて、処理回路７４は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ７８は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ７６にアクセスする（例えば、そこに書き込むおよび／またはそこから読み出す）ように構成されてもよい。そのようなメモリ７６は、プロセッサ７８によって実行可能なコードおよび／または他のデータ、例えば、通信に関するデータ、例えば、ノードの構成および／または宛先データなど、を保持するように構成されてもよい。
【０１１９】
処理回路７４は、本明細書で説明される方法および／またはプロセスのいずれかを制御するように、および／または、そのような方法および／またはプロセスを、例えば、ネットワークノード７０によって実行させるように構成されてもよい。プロセッサ７８は、本明細書で説明されるネットワークノード７０の機能を実行するための１つまたは複数のプロセッサに対応する。ネットワークノード７０は、データ、プログラムソフトウエアコード、および／または本明細書で説明される他の情報を保持するように構成されるメモリ７６を含む。１つまたは複数の実施の形態では、メモリ７６は、レシーバコード８０を保持するように構成される。例えば、レシーバコード８０は、プロセッサ７８によって実行されると、プロセッサ７８に、図１２および本明細書で説明される実施の形態に関して詳細に説明されるプロセスを実行させるインストラクションを含む。
【０１２０】
図１９は、ネットワークノード７０のレシーバまたは通信インタフェース７２のための例示的なパラメータ調整プロセスのフロー図である。処理回路７４は、少なくとも１つの自律タイミング調整を有するアップリンク信号に基づいて、少なくとも１つのレシーバパラメータを調整する（ブロックＳ１３２）。１つまたは複数の他の実施の形態によれば、無線デバイス５８から信号を受信するネットワークノードはまた、ブロックＳ１３２に関して上述したように、無線デバイス５８から信号を受信するために、そのレシーバに関連付けられた１つまたは複数のパラメータに適応してもよい。レシーバの適応は信号を送信するために無線デバイス５８によって使用される少なくとも自律タイミング調整パラメータの集合に基づいてもよく、アップリンクにおいて使用される少なくとも数理に基づいて無線デバイス５８によって導出される。適応され得るレシーバパラメータの例は、処理リソース、メモリリソース、ＵＬチャネル推定のための時間ウインドウ、ＩＦＦＴのサイズ、ＲＦフィルタ特性（例えば、受信信号が増幅され得る程度など）などである。例えば、自律調整サイズがより小さい場合（例えば、ＵＬにおけるより大きなサブキャリア間隔のため）、ネットワークノードは、より短い期間にわたってチャネルを推定してもよく、無線デバイス５８からのＵＬ受信信号を復号するために、より少ない後処理リソースを必要としてもよい。
【０１２１】
図２０は、本開示の原理にしたがう、他の例示的な無線デバイス５８のブロック図である。無線デバイス５８は、図１６−１７および本明細書で説明される他の例および実施の形態に関してなど、本明細書で説明される自律タイミング調整プロセスを実行するように構成される自律調整処理モジュール６９を含む。
【０１２２】
図２１は、送信のタイミングを調整する無線デバイスにおける例示的なプロセスのフローチャートである。このプロセスは、無線デバイスのタイミング調整パラメータ決定コード３８を介して、少なくとも第１数理パラメータに基づいて少なくとも第１タイミング調整パラメータを決定すること（ブロックＳ１３４）を含み、これは、タイミング調整パラメータを決定するために上述された実施の形態に少なくとも基づく図８および図９を少なくとも参照して上述したものである。方法はまた、タイミング調整コード４０を介して、第１タイミング調整パラメータに基づいてアップリンク送信のタイミングを調整すること（ブロックＳ１３６）を含む。
【０１２３】
図２２は、受信信号のタイミングを調整するための、ネットワークノードにおける例示的なプロセスのフローチャートである。プロセスは、ネットワークノードのタイミング調整パラメータ決定コード５４を介して、少なくとも第１数理パラメータに基づいて少なくとも第１タイミング調整パラメータを決定することであって、第１タイミング調整パラメータは、アップリンク信号を送信するために無線デバイスによって適用されるべき送信タイミング調整の量に関するものである、決定すること（ブロックＳ１３８）を含む。プロセスはまた、レシーバパラメータ適合コード５６を介して、決定された少なくともひとつの第１タイミング調整パラメータに基づいて、ネットワークノードのレシーバの少なくともひとつのパラメータを適合させること（ブロックＳ１４０）を含む。
【０１２４】
いくつかの実施の形態では、無線デバイス２８において送信のタイミングを調整する方法が提供される。方法は、少なくとも第１数理パラメータに基づいて少なくとも第１タイミング調整パラメータを決定することＳ１３４を含む。方法はまた、第１タイミング調整パラメータに基づいてアップリンク送信のタイミングを調整することＳ１３６を含む。
【０１２５】
ある実施の形態では、方法はさらに、調整されたアップリンク送信タイミングにしたがってアップリンク信号を送信することを含む。ある実施の形態では、アップリンク送信タイミング調整は、アップリンク信号の特性、ダウンリンク信号の特性および数理パラメータのうちの少なくともひとつに基づく。ある実施の形態では、第１数理パラメータは、サブキャリア間隔に基づくひとつの調整ステップの最大調整量である。ある実施の形態では、第１数理パラメータは、アップリンク送信のキャリア周波数に基づくタイミング調整の周波数である。ある実施の形態では、第１数理パラメータは、無線デバイス２８がアップリンク送信タイミングを集約調整レートで更新する際のその集約調整レートであり、集約調整レートはサブキャリア間隔に基づく。ある実施の形態では、方法はさらに、第２数理パラメータに基づいて第２タイミング調整パラメータを決定することと、無線デバイス２８がアップリンク送信用に用いるべき数理を決定することと、決定された数理に基づいて、第１タイミング調整パラメータおよび第２タイミング調整パラメータのうちのひとつを選択することと、第１および第２タイミング調整パラメータのうちの選択されたひとつを適用することで、アップリンク送信のタイミングを調整することと、を含む。ある実施の形態では、第１タイミング調整パラメータは決定されたアップリンク数理に基づき、第２タイミング調整パラメータは決定されたダウンリンク数理に基づく。ある実施の形態では、第１タイミング調整パラメータは無線デバイス２８によって自律的に決定される。ある実施の形態では、第１タイミング調整パラメータは、ネットワークノード４４から受信されたルールおよび所定の値のうちのひとつに基づいて決定される。ある実施の形態では、第１タイミング調整パラメータは、さらに、アップリンク帯域幅およびダウンリンク帯域幅のうちのひとつに基づいて決定される。ある実施の形態では、第１タイミング調整パラメータはネットワークノードから受信されたタイミングアドバンスコマンドである。ある実施の形態では、第１および／または第２数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【０１２６】
ある実施の形態では、送信のタイミングを調整するよう構成された無線デバイス２８が提供される。無線デバイス２８は、少なくとも第１数理パラメータに基づいて少なくとも第１タイミング調整パラメータを決定し、第１タイミング調整パラメータに基づいてアップリンク送信のタイミングを調整するよう構成された処理回路３０を含む。
【０１２７】
ある実施の形態では、処理回路３０はさらに、調整されたアップリンク送信タイミングにしたがってアップリンク信号を送信するよう構成される。ある実施の形態では、アップリンク送信タイミング調整は、アップリンク信号の特性、ダウンリンク信号の特性および数理パラメータのうちの少なくともひとつに基づく。ある実施の形態では、第１数理パラメータは、サブキャリア間隔に基づくひとつの調整ステップの最大調整量である。ある実施の形態では、第１数理パラメータは、アップリンク送信のキャリア周波数に基づくタイミング調整の周波数である。ある実施の形態では、第１数理パラメータは、無線デバイス２８がアップリンク送信タイミングを集約調整レートで更新する際のその集約調整レートであり、集約調整レートはサブキャリア間隔に基づく。ある実施の形態では、処理回路はさらに、第２数理パラメータに基づいて第２タイミング調整パラメータを決定することと、無線デバイス２８がアップリンク送信用に用いるべき数理を決定することと、決定された数理に基づいて、第１タイミング調整パラメータおよび第２タイミング調整パラメータのうちのひとつを選択することと、第１および第２タイミング調整パラメータのうちの選択されたひとつを適用することで、アップリンク送信のタイミングを調整することと、を行うよう構成される。ある実施の形態では、第１タイミング調整パラメータは決定されたアップリンク数理に基づき、第２タイミング調整パラメータは決定されたダウンリンク数理に基づく。ある実施の形態では、第１タイミング調整パラメータは無線デバイス２８によって自律的に決定される。
【０１２８】
ある実施の形態では、第１タイミング調整パラメータは、ネットワークノード４４から受信されたルールおよび所定の値のうちのひとつに基づいて決定される。ある実施の形態では、第１タイミング調整パラメータは、さらに、アップリンク帯域幅およびダウンリンク帯域幅のうちのひとつに基づいて決定される。ある実施の形態では、第１タイミング調整パラメータはネットワークノードから受信されたタイミングアドバンスコマンドである。ある実施の形態では、第１および／または第２数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【０１２９】
ある実施の形態では、送信のタイミングを調整するよう構成された無線デバイス２８が提供される。無線デバイス２８は、少なくとも第１数理パラメータに基づいて少なくとも第１タイミング調整パラメータを決定するよう構成されたタイミング調整パラメータ決定モジュール３７を含む。無線デバイス２８はさらに、第１タイミング調整パラメータに基づいてアップリンク送信のタイミングを調整するよう構成されたタイミング調整モジュール４１を含む。
【０１３０】
ある実施の形態では、ネットワークノード４４において、受信信号のタイミングを調整するための方法である。方法は、少なくとも第１数理パラメータに基づいて少なくとも第１タイミング調整パラメータを決定することであって、第１タイミング調整パラメータは、アップリンク信号を送信するために無線デバイス２８によって適用されるべき送信タイミング調整の量に関するものである、決定することを含む。方法はまた、決定された少なくともひとつの第１タイミング調整パラメータに基づいて、ネットワークノード４４のレシーバの少なくともひとつのパラメータを適合させることを含む。
【０１３１】
ある実施の形態では、方法は、レシーバの適合された少なくともひとつのパラメータを用いて、無線デバイス２８からアップリンク送信を受信することをさらに含む。ある実施の形態では、方法は、少なくとも第１数理に基づいて第１タイミング調整パラメータを決定するためのルールを、無線デバイス２８に送信することをさらに含む。ある実施の形態では、方法は、少なくとも第１数理に基づいて第１タイミング調整パラメータを決定するための所定の値を、無線デバイス２８に送信することをさらに含む。ある実施の形態では、方法は、少なくとも第１数理に基づく第１タイミング調整パラメータを、無線デバイスに送信することをさらに含む。ある実施の形態では、第１タイミング調整パラメータはタイミングアドバンスコマンドである。ある実施の形態では、第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
【０１３２】
ある実施の形態では、受信信号のタイミングを調整するネットワークノード４４である。ネットワークノード４４は、少なくとも第１数理パラメータに基づいて少なくとも第１タイミング調整パラメータを決定することであって、第１タイミング調整パラメータは、アップリンク信号を送信するために無線デバイス２８によって適用されるべき送信タイミング調整の量に関するものである、決定することを行うよう構成された処理回路４６を含む。処理回路４６はさらに、決定された少なくともひとつの第１タイミング調整パラメータに基づいて、ネットワークノード４４のレシーバ５８の少なくともひとつのパラメータを適合させるよう構成される。
【０１３３】
ある実施の形態では、処理回路４６はさらに、レシーバ５８の適合された少なくともひとつのパラメータを用いて、無線デバイス２８からアップリンク送信を受信するよう構成される。ある実施の形態では、処理回路４６はさらに、少なくとも第１数理に基づいて第１タイミング調整パラメータを決定するためのルールを、無線デバイス２８に送信するよう構成される。ある実施の形態では、処理回路４６はさらに、少なくとも第１数理に基づいて第１タイミング調整パラメータを決定するための所定の値を、無線デバイス２８に送信するよう構成される。ある実施の形態では、処理回路はさらに、少なくとも第１数理に基づく第１タイミング調整パラメータを、無線デバイスに送信するよう構成される。ある実施の形態では、第１タイミング調整パラメータはタイミングアドバンスコマンドである。ある実施の形態では、第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む。
ある実施の形態では、受信信号のタイミングを調整するネットワークノード４４が提供される。ネットワークノード４４は、少なくとも第１数理パラメータに基づいて少なくとも第１タイミング調整パラメータを決定することであって、第１タイミング調整パラメータは、アップリンク信号を送信するために無線デバイス２８によって適用されるべき送信タイミング調整の量に関するものである、決定することを行うよう構成されたタイミング調整パラメータ決定モジュール５５を含む。ネットワークノード４４はさらに、決定された少なくともひとつの第１タイミング調整パラメータに基づいて、ネットワークノード４４のレシーバ５８の少なくともひとつのパラメータを適合させるよう構成されたレシーバパラメータ適合モジュール５７を含む。
【０１３４】
いくつかの実施の形態は以下を含む：
実施の形態１
無線デバイスにおいて送信のタイミングを調整する方法であって、
無線デバイスによって送信されるアップリンク信号の数理に関連付けられた少なくとも第１数理パラメータ、Ｐｎ１、を取得することと、
アップリンク信号、Ｐｔ１、を送信するために無線デバイスによって適用されるべきトランジットタイミング調整の量に関連する少なくとも第１タイミング調整パラメータ、Ｐｔ１、を決定することであって、Ｐｔ１はＰｎ１に関連付けられる、決定することと、
決定されたＰｔ１を適用することにより、無線デバイスによって送信されるべきアップリンク信号のアップリンク送信タイミングを調整することと、を含む方法。
実施の形態２
前記調整されたアップリンク送信タイミングにしたがって前記アップリンク信号を送信することをさらに含む実施の形態１に記載の方法。
実施の形態３
前記アップリンク送信タイミング調整は、アップリンク信号の特性、ダウンリンク信号の特性および数理パラメータのうちの少なくともひとつに基づく実施の形態１に記載の方法。
実施の形態４
無線デバイスにおいて送信のタイミングを調整する方法であって、
第１数理および第２数理にそれぞれ関連付けられた少なくとも第１タイミング調整パラメータ、Ｐｔ１１、および第２タイミング調整パラメータ、Ｐｔ１２、を取得することと、
無線デバイスによってアップリンク信号の送信用に用いられる数理を決定することと、
アップリンク信号を送信するために無線デバイスによって用いられる決定された数理に基づいて、タイミング調整パラメータ、Ｐｔ１１またはＰｔ１２を選択することと、
無線デバイスによって送信されるべきアップリンク信号のアップリンク送信タイミングを調整するために、選択されたタイミング調整パラメータを適用することと、を含む方法。
実施の形態５
前記調整されたアップリンク送信タイミングにしたがって前記アップリンク信号を送信することをさらに含む実施の形態３に記載の方法。
実施の形態６
無線デバイスの送信のタイミングを調整するよう構成された無線デバイスであって、メモリおよびプロセッサを含む処理回路を備え、
メモリは第１数理パラメータ、Ｐｎ１、および第１タイミング調整パラメータ、Ｐｔ１、を保持するように構成され、
プロセッサは、
無線デバイスによって送信されるアップリンク信号の数理に関連付けられた少なくとも第１数理パラメータ、Ｐｎ１、を取得することと、
アップリンク信号、Ｐｔ１、を送信するために無線デバイスによって適用されるべきトランジットタイミング調整の量に関連する少なくとも第１タイミング調整パラメータ、Ｐｔ１、を決定することであって、Ｐｔ１はＰｎ１に関連付けられる、決定することと、
決定されたＰｔ１を適用することにより、無線デバイスによって送信されるべきアップリンク信号のアップリンク送信タイミングを調整することと、を行うよう構成される無線デバイス。
実施の形態７
前記調整されたアップリンク送信タイミングにしたがって前記アップリンク信号を送信するよう構成された送信機をさらに備える実施の形態６に記載の無線デバイス。
実施の形態８
前記アップリンク送信タイミング調整は、アップリンク信号の特性、ダウンリンク信号の特性および数理パラメータのうちの少なくともひとつに基づく実施の形態６に記載の無線デバイス。
実施の形態９
ネットワークノードにおいて、無線デバイスのアップリンク送信のタイミングを調整するための方法であって、
無線デバイスによってアップリンク信号の送信用に用いられる数理を決定することと、
信号を送信するために使用される決定された数理に関連付けられた少なくとも第１タイミング調整パラメータ、Ｐｔ１、を取得することと、
決定されたＰｔ１の値を無線デバイスに送信することと、を含む方法。
実施の形態１０
Ｐｔ１に基づく無線デバイスの送信タイミングに従って無線デバイスからアップリンク信号を受信することをさらに含む実施の形態９に記載の方法。
実施の形態１１
無線デバイスのアップリンク送信のタイミングを調整するためのネットワークノードであって、メモリおよびプロセッサを含む処理回路を備え、
メモリは、第１タイミング調整パラメータ、Ｐｔ１、を保持するように構成され、
プロセッサは、
無線デバイスによってアップリンク信号の送信用に用いられる数理を決定することと、
信号を送信するために使用される決定された数理に関連付けられた少なくとも第１タイミング調整パラメータ、Ｐｔ１、を取得することと、
決定されたＰｔ１の値を無線デバイスに送信するよう構成された送信機と、を行うよう構成されるネットワークノード。
実施の形態１２
Ｐｔ１に基づく無線デバイスの送信タイミングに従って無線デバイスからアップリンク信号を受信するように構成されたレシーバをさらに備える、実施の形態１１に記載のネットワークノード。
実施の形態１３
無線デバイスの送信のタイミングを調整するよう構成された無線デバイスであって、
無線デバイスによって送信されるアップリンク信号の数理に関連付けられた少なくとも第１数理パラメータ、Ｐｎ１、を取得するよう構成された数理決定モジュールと、
アップリンク信号、Ｐｔ１、を送信するために無線デバイスによって適用されるべきトランジットタイミング調整の量に関連する少なくとも第１タイミング調整パラメータ、Ｐｔ１、を決定することであって、Ｐｔ１はＰｎ１に関連付けられる、決定することを行うよう構成されたタイミング調整決定モジュールと、
決定されたＰｔ１を適用することにより、無線デバイスによって送信されるべきアップリンク信号のアップリンク送信タイミングを調整するよう構成されたタイミング調整モジュールと、を備える無線デバイス。
実施の形態１４
無線デバイスのアップリンク送信のタイミングを調整するためのネットワークノードであって、
第１タイミング調整パラメータ、Ｐｔ１、を保持するように構成されたメモリモジュールと、
アップリンク信号を送信するために無線デバイスによって使用される数理を決定するように構成された数理決定モジュールと、
信号を送信するために使用される決定された数理に関連付けられた少なくとも第１タイミング調整パラメータ（Ｐｔ１）を取得するよう構成されたタイミング調整パラメータ決定モジュールと、
決定されたＰｔ１の値を無線デバイスに送信するよう構成された送信モジュールと、を備えるネットワークノード。
【０１３５】
いくつかのさらなる実施の形態は以下を含む：
実施の形態１５
少なくとも第１数理パラメータに基づいて少なくともひとつの自律タイミング調整パラメータを決定することと、
少なくとも１つの自律タイミング調整パラメータを使用して信号を送信することと、を行うよう構成された処理回路を備える無線デバイス。
実施の形態１６
少なくとも１つの数理パラメータは、１つの調整ステップの最大調整量である実施の形態１５に記載の無線デバイス。
実施の形態１７
ひとつの調整ステップの最大調整量がサブキャリア間隔に基づく実施の形態１６に記載の無線デバイス。
実施の形態１８
少なくとも１つの数理パラメータは、タイミング調整の頻度である実施の形態１５に記載の無線デバイス。
実施の形態１９
タイミング調整の頻度がＵＬ信号のキャリア周波数に基づく実施の形態１８に記載の無線デバイス。
実施の形態２０
少なくとも１つの数理パラメータは、無線デバイスがアップリンク送信タイミングを更新する集約調整レートである実施の形態１５に記載の無線デバイス。
実施の形態２１
集約調整レートはサブキャリア間隔に基づく実施の形態２０に記載の無線デバイス。
実施の形態２２
少なくとも１つの数理パラメータはタイミングエラー限界である実施の形態１５に記載の無線デバイス。
実施の形態２３
タイミングエラー限界は数理に基づく実施の形態２２に記載の無線デバイス。
実施の形態２４
タイミングエラー限界はアップリンク帯域幅に基づく実施の形態２２に記載の無線デバイス。
実施の形態２５
少なくとも１つの数理パラメータは、無線デバイスによって受信された少なくとも１つのダウンリンク信号の数理に基づく実施の形態１５に記載の無線デバイス。
実施の形態２６
少なくとも１つの数理パラメータは、ＤＬサブキャリア間隔およびＵＬサブキャリア間隔に基づく実施の形態２５に記載の無線デバイス。
実施の形態２７
少なくとも１つの数理パラメータは、アップリンク信号、ダウンリンク信号、および異なる数理に関連付けられた複数の異なる数理パラメータのうちの少なくとも１つの関数である実施の形態１５に記載の無線デバイス。
実施の形態２８
少なくとも第１数理パラメータに基づいて少なくともひとつの自律タイミング調整パラメータを決定することと、
少なくとも１つの自律タイミング調整パラメータを使用して信号を送信することと、を含む方法。
実施の形態２９
少なくとも１つの数理パラメータは、１つの調整ステップの最大調整量である実施の形態２８に記載の方法。
実施の形態３０
ひとつの調整ステップの最大調整量がサブキャリア間隔に基づく実施の形態２９に記載の方法。
実施の形態３１
少なくとも１つの数理パラメータは、タイミング調整の頻度である実施の形態２８に記載の方法。
実施の形態３２
タイミング調整の頻度がＵＬ信号のキャリア周波数に基づく実施の形態３１に記載の方法。
実施の形態３３
少なくとも１つの数理パラメータは、無線デバイスがアップリンク送信タイミングを更新する集約調整レートである実施の形態２８に記載の方法。
実施の形態３４
集約調整レートはサブキャリア間隔に基づく実施の形態３３に記載の方法。
実施の形態３５
少なくとも１つの数理パラメータはタイミングエラー限界である実施の形態２８に記載の方法。
実施の形態３６
タイミングエラー限界は数理に基づく実施の形態３５に記載の方法。
実施の形態３７
タイミングエラー限界はアップリンク帯域幅に基づく実施の形態３５に記載の方法。
実施の形態３８
少なくとも１つの数理パラメータは、無線デバイスによって受信された少なくとも１つのダウンリンク信号の数理に基づく実施の形態２８に記載の方法。
実施の形態３９
少なくとも１つの数理パラメータは、ＤＬサブキャリア間隔およびＵＬサブキャリア間隔に基づく実施の形態３８に記載の方法。
実施の形態４０
少なくとも１つの数理パラメータは、アップリンク信号、ダウンリンク信号、および異なる数理に関連付けられた複数の異なる数理パラメータのうちの少なくとも１つの関数である実施の形態２８に記載の無線デバイス。
実施の形態４１
少なくとも第１数理パラメータに基づいて少なくともひとつの自律タイミング調整パラメータを決定することと、
少なくとも１つの自律タイミング調整パラメータを使用して信号を送信することと、を行うよう構成された処理モジュールを備える無線デバイス。
【０１３６】
当業者により理解されるように、ここで説明される概念は方法、データ処理システム、および／又はコンピュータプログラム製品として具体化されてもよい。したがって、ここに説明される概念は、全てハードウェアに具体化されたもの、全てソフトウェアに具体化されたもの、ソフトウェアとここで一般に回路又はモジュールと呼ばれる態様のハードウェアとを組み合わせて具体化されたものの形態をとることができる。さらに、本開示は、コンピュータによって実行可能な媒体に具体化されたコンピュータプログラムコードを有する有形のコンピュータ利用可能な記憶媒体上のコンピュータプログラム製品の形態をとることができる。ハードディスク、ＣＤ−ＲＯＭ、電子記憶装置、光記憶装置、または磁気記憶装置を含む任意の適切な有形のコンピュータ可読媒体が利用できる。
【０１３７】
いくつかの実施の形態は、フローチャート図および／又は方法、システム及びコンピュータプログラム製品のブロック図を参照して説明される。フローチャート図および／又はブロック図およびフローチャート図のブロックおよび／又はブロック図の組み合わせの各ブロックはコンピュータプログラムインストラクションにより実施できることは理解されるだろう。これらのコンピュータプログラムインストラクションは、汎用コンピュータのプロセッサ、専用コンピュータ、または他の機械を製造するためのプログラマブルデータ処理装置に提供され、そのようなインストラクションは、コンピュータのプロセッサまたは他のプログラマブルデータ処理装置により実行され、フローチャートおよび／又はブロック図に指定される機能や動作を実施するための手段を作成する。
【０１３８】
これらのコンピュータプログラムインストラクションは、コンピュータ可読メモリに記憶されたインストラクションが、フローチャートおよび／又はブロック図のブロックに指定された機能・動作を実施する指示手段を含む製品を生成するように、特定の方法でコンピュータ又は他のプログラマブルデータ処理装置を機能させる、コンピュータ可読メモリ又は記憶媒体に記憶される。
【０１３９】
コンピュータプログラムインストラクションは、コンピュータ又は他のプログラマブルデータ処理装置にロードされて、コンピュータ又は他のプログラマブル装置で一連の動作ステップを実行させ、コンピュータ又は他のプログラマブルな装置で実行して、フローチャートおよび／又はブロック図のブロックに指定された機能／動作を実行するためのステップを提供するコンピュータ実行プロセスを生成する。
【０１４０】
ブロックに記された機能又は動作は動作図に記された順番から外れることがあることを理解されたい。例えば、連続して示される２つのブロックは、実際、実質的に同時に実行されてよく、又は関係する機能／動作に応じて逆順で実行されてもよい。図のいくつかは通信の主な方向を示すための通信経路上の矢印を含むが、通信は示された矢印と逆方向に生じてもよいことを理解されたい。
【０１４１】
ここに説明された概念の動作を実行するためのコンピュータプログラムコードは、Ｊａｖａ（登録商標）又はＣ＋＋などのオブジェクト指向プログラム言語で記述されてもよい。しかしながら、この開示の動作を実行するためのコンピュータプログラムコードはさらに、Ｃプログラム言語などの従来の手続き型プログラミング言語で記述されてもよい。プログラムコードは、ユーザのコンピュータ上で全て、ユーザのコンピュータ上で部分的に、スタンドアローンのソフトウエアパッケージとして、部分的にはユーザのコンピュータ上と部分的にはリモートコンピュータ上で、又は全てリモートコンピュータ上で実行されてもよい。後者のシナリオではリモートコンピュータはユーザのコンピュータと、ローカルエリアネットワーク（ＬＡＮ）又は広域ネットワーク（ＷＡＮ）又は外部コンピュータへ作成された接続（例えばインターネットサービスプロバイダを使うインターネットを通じて）を通じて接続される。
【０１４２】
当業者はここに記載の実施の形態は、上記に特に示され、説明されたものに限定されないことが理解されよう。さらに、上に言及されていない限り、添付の図面の全ては縮尺どおりではないことに留意されたい。上記の教示に照らして様々な変更および変形が可能であり、それらは特許請求の範囲によってのみ限定される。
【図１】
2019533923.tif 000008
【図２】
2019533923.tif 000009
【図３】
2019533923.tif 000010
【図４】
2019533923.tif 000011
【図５】
2019533923.tif 000012
【図６】
2019533923.tif 000013
【図７】
2019533923.tif 000014
【図８】
2019533923.tif 000015
【図９】
2019533923.tif 000016
【図１０】
2019533923.tif 000017
【図１１】
2019533923.tif 000018
【図１２】
2019533923.tif 000019
【図１３】
2019533923.tif 000020
【図１４】
2019533923.tif 000021
【図１５】
2019533923.tif 000022
【図１６】
2019533923.tif 000023
【図１７】
2019533923.tif 000024
【図１８】
2019533923.tif 000025
【図１９】
2019533923.tif 000026
【図２０】
2019533923.tif 000027
【図２１】
2019533923.tif 000028
【図２２】
2019533923.tif 000029
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
無線デバイス（２８）において送信のタイミングを調整する方法であって、
少なくとも第１数理パラメータに基づいて少なくとも第１タイミング調整パラメータを決定すること（Ｓ１３４）と、
前記第１タイミング調整パラメータに基づいてアップリンク送信の前記タイミングを調整すること（Ｓ１３６）と、を含む方法。
【請求項２】
前記調整されたアップリンク送信タイミングにしたがって前記アップリンク信号を送信することをさらに含む請求項１に記載の方法。
【請求項３】
前記アップリンク送信タイミング調整は、アップリンク信号の特性、ダウンリンク信号の特性および数理パラメータのうちの少なくともひとつに基づく請求項１または２に記載の方法。
【請求項４】
前記第１数理パラメータは、サブキャリア間隔に基づくひとつの調整ステップの最大調整量である請求項１から３のいずれか一項に記載の方法。
【請求項５】
前記第１数理パラメータは、前記アップリンク送信のキャリア周波数に基づくタイミング調整の周波数である請求項１から３のいずれか一項に記載の方法。
【請求項６】
前記第１数理パラメータは、前記無線デバイス（２８）がアップリンク送信タイミングを集約調整レートで更新する際のその集約調整レートであり、前記集約調整レートはサブキャリア間隔に基づく、請求項１から３のいずれか一項に記載の方法。
【請求項７】
第２数理パラメータに基づいて第２タイミング調整パラメータを決定することと、
前記無線デバイス（２８）がアップリンク送信用に用いるべき数理を決定することと、
前記決定された数理に基づいて、前記第１タイミング調整パラメータおよび前記第２タイミング調整パラメータのうちのひとつを選択することと、
前記第１および第２タイミング調整パラメータのうちの前記選択されたひとつを適用することで、アップリンク送信の前記タイミングを調整することと、をさらに含む請求項１から６のいずれか一項に記載の方法。
【請求項８】
前記第１タイミング調整パラメータは決定されたアップリンク数理に基づき、前記第２タイミング調整パラメータは決定されたダウンリンク数理に基づく請求項７に記載の方法。
【請求項９】
前記第１タイミング調整パラメータは前記無線デバイス（２８）によって自律的に決定される請求項１から７のいずれか一項に記載の方法。
【請求項１０】
前記第１タイミング調整パラメータは、ネットワークノード（４４）から受信されたルールおよび所定の値のうちのひとつに基づいて決定される請求項１から７のいずれか一項に記載の方法。
【請求項１１】
前記少なくとも第１タイミング調整パラメータは、さらに、アップリンク帯域幅およびダウンリンク帯域幅のうちのひとつに基づいて決定される請求項１から７のいずれか一項に記載の方法。
【請求項１２】
前記少なくとも第１タイミング調整パラメータはネットワークノード（４４）から受信されたタイミングアドバンスコマンドである請求項１から７のいずれか一項に記載の方法。
【請求項１３】
前記第１数理パラメータおよび前記第２数理パラメータのうちの少なくともひとつは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項１から１２のいずれか一項に記載の方法。
【請求項１４】
送信のタイミングを調整するよう構成された無線デバイス（２８）であって、前記無線デバイス（２８）は、
少なくとも第１数理パラメータに基づいて少なくとも第１タイミング調整パラメータを決定することと、
前記第１タイミング調整パラメータに基づいてアップリンク送信の前記タイミングを調整することと、を行うよう構成された処理回路（３０）を備える無線デバイス（２８）。
【請求項１５】
前記調整されたアップリンク送信タイミングにしたがって前記アップリンク信号を送信することをさらに含む請求項１４に記載の無線デバイス（２８）。
【請求項１６】
前記アップリンク送信タイミング調整は、アップリンク信号の特性、ダウンリンク信号の特性および数理パラメータのうちの少なくともひとつに基づく請求項１４または１５に記載の無線デバイス（２８）。
【請求項１７】
前記第１数理パラメータは、サブキャリア間隔に基づくひとつの調整ステップの最大調整量である請求項１４から１６のいずれか一項に記載の無線デバイス（２８）。
【請求項１８】
前記第１数理パラメータは、前記アップリンク送信のキャリア周波数に基づくタイミング調整の周波数である請求項１４から１６のいずれか一項に記載の無線デバイス（２８）。
【請求項１９】
前記第１数理パラメータは、前記無線デバイス（２８）がアップリンク送信タイミングを集約調整レートで更新する際のその集約調整レートであり、前記集約調整レートはサブキャリア間隔に基づく、請求項１４から１６のいずれか一項に記載の無線デバイス（２８）。
【請求項２０】
前記処理回路（３０）はさらに、
第２数理パラメータに基づいて第２タイミング調整パラメータを決定することと、
前記無線デバイス（２８）がアップリンク送信用に用いるべき数理を決定することと、
前記決定された数理に基づいて、前記第１タイミング調整パラメータおよび前記第２タイミング調整パラメータのうちのひとつを選択することと、
前記第１および第２タイミング調整パラメータのうちの前記選択されたひとつを適用することで、アップリンク送信の前記タイミングを調整することと、を行うよう構成される請求項１４から１９のいずれか一項に記載の無線デバイス（２８）。
【請求項２１】
前記第１タイミング調整パラメータは決定されたアップリンク数理に基づき、前記第２タイミング調整パラメータは決定されたダウンリンク数理に基づく請求項２０に記載の無線デバイス（２８）。
【請求項２２】
前記第１タイミング調整パラメータは前記無線デバイス（２８）によって自律的に決定される請求項１４から２０のいずれか一項に記載の無線デバイス（２８）。
【請求項２３】
前記第１タイミング調整パラメータは、ネットワークノード（４４）から受信されたルールおよび所定の値のうちのひとつに基づいて決定される請求項１４から２０のいずれか一項に記載の無線デバイス（２８）。
【請求項２４】
前記少なくとも第１タイミング調整パラメータは、さらに、アップリンク帯域幅およびダウンリンク帯域幅のうちのひとつに基づいて決定される請求項１４から２０のいずれか一項に記載の無線デバイス（２８）。
【請求項２５】
前記少なくとも第１タイミング調整パラメータはネットワークノード（４４）から受信されたタイミングアドバンスコマンドである請求項１４から２０のいずれか一項に記載の無線デバイス（２８）。
【請求項２６】
前記第１数理パラメータおよび前記第２数理パラメータのうちの少なくともひとつは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項１７から２５のいずれか一項に記載の無線デバイス（２８）。
【請求項２７】
送信のタイミングを調整するよう構成された無線デバイス（２８）であって、前記無線デバイス（２８）は、
少なくとも第１数理パラメータに基づいて少なくとも第１タイミング調整パラメータを決定するよう構成されたタイミング調整パラメータ決定モジュール（３９）と、
前記第１タイミング調整パラメータに基づいてアップリンク送信の前記タイミングを調整するよう構成されたタイミング調整モジュール（４１）と、を備える無線デバイス（２８）。
【請求項２８】
ネットワークノード（４４）において受信信号のタイミングを調整する方法であって、該方法は、
少なくとも第１数理パラメータに基づいて少なくとも第１タイミング調整パラメータを決定することであって、前記第１タイミング調整パラメータは、アップリンク信号を送信するために無線デバイスによって適用されるべき送信タイミング調整の量に関するものである、決定すること（Ｓ１３８）と、
前記決定された少なくともひとつの第１タイミング調整パラメータに基づいて、前記ネットワークノード（４４）のレシーバ（５８）の少なくともひとつのパラメータを適合させること（Ｓ１４０）と、を含む方法。
【請求項２９】
前記レシーバ（５８）の前記適合された少なくともひとつのパラメータを用いて、前記無線デバイスからアップリンク送信を受信することをさらに含む請求項２８に記載の方法。
【請求項３０】
前記少なくとも第１数理に基づいて前記第１タイミング調整パラメータを決定するためのルールを、前記無線デバイス（２８）に送信することをさらに含む請求項２８または２９に記載の方法。
【請求項３１】
前記少なくとも第１数理に基づいて前記第１タイミング調整パラメータを決定するための所定の値を、前記無線デバイス（２８）に送信することをさらに含む請求項２８または２９に記載の方法。
【請求項３２】
前記少なくとも第１数理に基づく前記第１タイミング調整パラメータを、前記無線デバイスに送信することをさらに含む請求項２８から３０のいずれか一項に記載の方法。
【請求項３３】
前記第１タイミング調整パラメータはタイミングアドバンスコマンドである請求項３２に記載の方法。
【請求項３４】
前記第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項２８から３３のいずれか一項に記載の方法。
【請求項３５】
受信信号のタイミングを調整するためのネットワークノード（４４）であって、前記ネットワークノード（４４）は、
少なくとも第１数理パラメータに基づいて少なくとも第１タイミング調整パラメータを決定することであって、前記第１タイミング調整パラメータは、アップリンク信号を送信するために無線デバイス（２８）によって適用されるべき送信タイミング調整の量に関するものである、決定することと、
前記決定された少なくともひとつの第１タイミング調整パラメータに基づいて、前記ネットワークノード（４４）のレシーバ（５８）の少なくともひとつのパラメータを適合させることと、を行うよう構成された処理回路（４６）を備えるネットワークノード（４４）。
【請求項３６】
前記処理回路（４６）はさらに、前記レシーバ（５８）の前記適合された少なくともひとつのパラメータを用いて、前記無線デバイス（２８）からアップリンク送信を受信するよう構成される請求項３５に記載のネットワークノード（４４）。
【請求項３７】
前記処理回路（４６）はさらに、前記少なくとも第１数理に基づいて前記第１タイミング調整パラメータを決定するためのルールを、前記無線デバイス（２８）に送信するよう構成される請求項３５または３６に記載のネットワークノード（４４）。
【請求項３８】
前記処理回路（４６）はさらに、前記少なくとも第１数理に基づいて前記第１タイミング調整パラメータを決定するための所定の値を、前記無線デバイス（２８）に送信するよう構成される請求項３５または３６に記載のネットワークノード（４４）。
【請求項３９】
前記処理回路はさらに、前記少なくとも第１数理に基づく前記第１タイミング調整パラメータを、前記無線デバイスに送信するよう構成される請求項３５から３８のいずれか一項に記載のネットワークノード（４４）。
【請求項４０】
前記第１タイミング調整パラメータはタイミングアドバンスコマンドである請求項３９に記載のネットワークノード（４４）。
【請求項４１】
前記第１数理パラメータは、フレーム持続時間、サブフレーム持続時間、送信時間間隔（ＴＴＩ）持続時間、スロット持続時間、シンボル持続時間およびスロットおよびサブフレーム当たりのシンボル数、サブキャリア間隔、サンプリング周波数、高速フーリエ変換（ＦＦＴ）サイズ、リソースブロック（ＲＢ）当たりのサブキャリア数、前記帯域幅内のＲＢの数、およびサイクリックプレフィックス長のうちのひとつ以上を含む請求項３５から４０のいずれか一項に記載のネットワークノード（４４）。
【請求項４２】
受信信号のタイミングを調整するためのネットワークノード（４４）であって、前記ネットワークノード（４４）は、
少なくとも第１数理パラメータに基づいて少なくとも第１タイミング調整パラメータを決定するよう構成されたタイミング調整パラメータ決定モジュール（５５）であって、前記第１タイミング調整パラメータは、アップリンク信号を送信するために無線デバイス（２８）によって適用されるべき送信タイミング調整の量に関するものである、タイミング調整パラメータ決定モジュール（５５）と、
前記決定された少なくともひとつの第１タイミング調整パラメータに基づいて、前記ネットワークノード（４４）のレシーバ（５８）の少なくともひとつのパラメータを適合させるよう構成されたレシーバパラメータ適合モジュール（５７）と、を備えるネットワークノード（４４）。
【国際調査報告】
2019533923.tif 000030
2019533923.tif 000031
2019533923.tif 000032